(57)【要約】【課題】課題付与演出に対する遊技者の誤認識を抑制すること。【解決手段】増加前リーチ図柄を決定するに際し、統括制御用ＣＰＵは、予め記憶した課題図柄の種類を読み出して確認する。そして、統括制御用ＣＰＵは、リーチラインを増加させた場合に課題図柄と同一の図柄を含むパターンを確認する。左列では、降順で図柄が変動表示されるため、統括制御用ＣＰＵは、どの図柄を増加前リーチ図柄として決定すると、増加後リーチ図柄の中に課題図柄と同一の図柄を含んでしまうかということを必然的に把握することができる。これにより、統括制御用ＣＰＵは、増加前リーチ図柄を決定するに際し、課題図柄の種類に基づき、課題図柄と同一の図柄、課題図柄よりも表示順序が１つ前の図柄、及び課題図柄よりも表示順序が２つ前の図柄を除く図柄の中から増加前リーチ図柄を決定する。【選択図】図７
2011092572.tif 000002
【特許請求の範囲】
【請求項１】
複数種類の図柄を複数列で変動させて図柄組み合わせを表示する図柄変動ゲームを含む遊技演出を表示するとともに、リーチ状態を認識し得る複数のリーチラインを有する表示手段を備え、所定のリーチ形成図柄を表示してリーチを形成させることを課題として遊技者に提示し、その提示した前記課題が行われた前記図柄変動ゲームにて大当りの図柄組み合わせを導出する課題付与演出を実行させる遊技機において、
リーチ形成後、さらにリーチラインの本数を増加させる態様で行われる特定リーチ演出を演出内容として決定可能なリーチ内容決定手段と、
前記課題付与演出が実行される場合に、課題として提示するリーチ形成図柄を決定する課題決定手段と、
前記表示手段の表示内容を制御する演出制御手段と、を備え、
大当りか否かの大当り抽選に当選せず、且つ前記リーチ内容決定手段によって前記特定リーチ演出の実行が決定された場合、当該特定リーチ演出が、前記リーチライン増加時に導出するリーチ形成図柄の中に、前記リーチラインが増加する迄に前記課題として提示されたリーチ形成図柄と同一のリーチ形成図柄が含まれる態様で実行されることを規制する規制手段と、を備えたことを特徴とする遊技機。
【請求項２】
前記リーチ内容決定手段によって前記特定リーチ演出が決定された場合、前記リーチラインが増加する前に導出する増加前リーチ形成図柄を決定するリーチ形成図柄決定手段を備え、
前記図柄は、予め設定した表示順序で変動表示され、
前記演出制御手段は、前記特定リーチ演出の実行が決定された場合、前記リーチライン増加前のリーチ形成図柄を基準に予め設定した基準方向に沿って表示順序が連続する図柄を表示させることで前記リーチラインを増加させるようになっており、
前記リーチ形成図柄決定手段は、前記大当り抽選に当選せず、且つ前記特定リーチ演出の実行が決定された場合、前記リーチライン増加時に導出するリーチ形成図柄の中に、前記リーチラインが増加する迄に前記課題として提示されたリーチ形成図柄と同一のリーチ形成図柄が含まれないように前記増加前リーチ形成図柄を決定することを特徴とする請求項１に記載の遊技機。
【請求項３】
予め定めた移行契機の到来により、前記大当り抽選の抽選確率状態が高確率抽選状態である可能性を示唆する高確示唆モードへの移行を決定可能な演出モード決定手段を備え、
前記高確示唆モード中は、前記課題付与演出が実行されるようになっており、
前記規制手段は、前記大当り抽選に当選せず、且つ前記特定リーチ演出の実行が決定された場合、前記リーチライン増加時に導出するリーチ形成図柄の中に、前記リーチラインが増加する迄に前記課題として提示されたリーチ形成図柄と同一のリーチ形成図柄が含まれる態様でリーチ演出が実行されるときには、第１停止列の図柄の変動が停止する迄に、前記高確示唆モードを終了させ、当該図柄変動ゲームにおける課題付与演出を無効化することを特徴とする請求項１に記載の遊技機。
【請求項４】
前記リーチ内容決定手段によって前記特定リーチ演出が決定された場合、前記リーチラインが増加する前に導出する増加前リーチ形成図柄を決定するリーチ形成図柄決定手段を備え、
前記規制手段は、前記演出制御手段であって、
前記図柄は、予め設定した表示順序で変動表示され、
前記演出制御手段は、
前記特定リーチ演出の実行が決定された場合、前記リーチライン増加前のリーチ形成図柄を基準に予め設定した基準方向に沿って表示順序が連続する図柄を表示させることで前記リーチラインを増加させるようになっており、前記リーチライン増加時に導出するリーチ形成図柄の中に、前記リーチラインが増加する迄に前記課題として提示されたリーチ形成図柄と同一のリーチ形成図柄が含まれる場合には、前記基準方向とは異なる方向に連続する図柄を表示させることでリーチラインを増加させることを特徴とする請求項１に記載の遊技機。
【請求項５】
前記規制手段は、前記大当り抽選に当選した場合には、前記リーチライン増加時に、前記課題として提示されたリーチ形成図柄と同一の図柄でリーチを形成可能とすることを特徴とする請求項１〜請求項４のうちいずれか一項に記載の遊技機。
【発明の詳細な説明】
【技術分野】
【０００１】
本発明は、図柄変動ゲーム中に所定の演出を出現させることを課題として遊技者に提示し、その提示した演出の出現によって大当りを認識可能な大当り図柄を導出する課題付与演出を実行可能な遊技機に関する。
【背景技術】
【０００２】
従来、遊技機の一種であるパチンコ遊技機では、遊技者の興趣を向上させるために様々な内容の遊技演出が行われている。例えば、「○図柄でリーチをかけろ！」などといった課題（以下、「ミッション」という）を付与する課題付与演出を行い、見掛け上、ミッションを達成したら大当りとなるように制御するパチンコ遊技機が提案されている（例えば、特許文献１参照）。
【先行技術文献】
【特許文献】
【０００３】
【特許文献１】特開２００８−２２８８９１号公報
【発明の概要】
【発明が解決しようとする課題】
【０００４】
また、近年では、遊技者の興趣を向上させるために、リーチ形成後、リーチ状態を認識し得るリーチラインの本数をさらに増加させる増加演出も行われるようになっている。このような場合、リーチラインの増加によって、見た目上、大当りのチャンスが増大したかのように視認し得る。ところが、特許文献１のようなパチンコ遊技機において前述したような増加演出を実行させようとすると、実際は大当り抽選に当選していないにもかかわらず、課題を達成したかのような錯覚を与えてしまう場合がある。例えば、はずれリーチ演出用の変動パターンに基づいて実行される図柄変動ゲームにおいて、「３図柄でリーチをかけろ！」といった課題が提示された後に、［２］で形成されるリーチ図柄が導出されるとする。この場合、課題図柄とリーチ形成図柄が異なるので、ミッション達成とはならない。ところが、増加演出が実行されたことにより、［２］で形成されるリーチ図柄を基準として、［２］［３］［４］で形成されるリーチ図柄がそれぞれ導出されたとすると、リーチライン増加後のリーチ図柄の中に課題図柄と同一の図柄が含まれてしまう。これにより、課題を達成したかのような誤解を生じさせてしまうことになる。
【０００５】
この発明は、このような従来技術に存在する問題点に着目してなされたものであり、その目的は、課題付与演出に対する遊技者の誤認識を抑制することができる遊技機を提供することにある。
【課題を解決するための手段】
【０００６】
上記問題点を解決するために、請求項１に記載の発明は、複数種類の図柄を複数列で変動させて図柄組み合わせを表示する図柄変動ゲームを含む遊技演出を表示するとともに、リーチ状態を認識し得る複数のリーチラインを有する表示手段を備え、所定のリーチ形成図柄を表示してリーチを形成させることを課題として遊技者に提示し、その提示した前記課題が行われた前記図柄変動ゲームにて大当りの図柄組み合わせを導出する課題付与演出を実行させる遊技機において、リーチ形成後、さらにリーチラインの本数を増加させる態様で行われる特定リーチ演出を演出内容として決定可能なリーチ内容決定手段と、前記課題付与演出が実行される場合に、課題として提示するリーチ形成図柄を決定する課題決定手段と、前記表示手段の表示内容を制御する演出制御手段と、を備え、大当りか否かの大当り抽選に当選せず、且つ前記リーチ内容決定手段によって前記特定リーチ演出の実行が決定された場合、当該特定リーチ演出が、前記リーチライン増加時に導出するリーチ形成図柄の中に、前記リーチラインが増加する迄に前記課題として提示されたリーチ形成図柄と同一のリーチ形成図柄が含まれる態様で実行されることを規制する規制手段と、を備えたことを要旨とする。
【０００７】
請求項２に記載の発明は、請求項１に記載の遊技機において、前記リーチ内容決定手段によって前記特定リーチ演出が決定された場合、前記リーチラインが増加する前に導出する増加前リーチ形成図柄を決定するリーチ形成図柄決定手段を備え、前記図柄は、予め設定した表示順序で変動表示され、前記演出制御手段は、前記特定リーチ演出の実行が決定された場合、前記リーチライン増加前のリーチ形成図柄を基準に予め設定した基準方向に沿って表示順序が連続する図柄を表示させることで前記リーチラインを増加させるようになっており、前記リーチ形成図柄決定手段は、前記大当り抽選に当選せず、且つ前記特定リーチ演出の実行が決定された場合、前記リーチライン増加時に導出するリーチ形成図柄の中に、前記リーチラインが増加する迄に前記課題として提示されたリーチ形成図柄と同一のリーチ形成図柄が含まれないように前記増加前リーチ形成図柄を決定することを要旨とする。
【０００８】
請求項３に記載の発明は、請求項１に記載の遊技機において、予め定めた移行契機の到来により、前記大当り抽選の抽選確率状態が高確率抽選状態である可能性を示唆する高確示唆モードへの移行を決定可能な演出モード決定手段を備え、前記高確示唆モード中は、前記課題付与演出が実行されるようになっており、前記規制手段は、前記大当り抽選に当選せず、且つ前記特定リーチ演出の実行が決定された場合、前記リーチライン増加時に導出するリーチ形成図柄の中に、前記リーチラインが増加する迄に前記課題として提示されたリーチ形成図柄と同一のリーチ形成図柄が含まれる態様でリーチ演出が実行されるときには、第１停止列の図柄の変動が停止する迄に、前記高確示唆モードを終了させ、当該図柄変動ゲームにおける課題付与演出を無効化することを要旨とする。
【０００９】
請求項４に記載の発明は、請求項１に記載の遊技機において、前記リーチ内容決定手段によって前記特定リーチ演出が決定された場合、前記リーチラインが増加する前に導出する増加前リーチ形成図柄を決定するリーチ形成図柄決定手段を備え、前記規制手段は、前記演出制御手段であって、前記図柄は、予め設定した表示順序で変動表示され、前記演出制御手段は、前記特定リーチ演出の実行が決定された場合、前記リーチライン増加前のリーチ形成図柄を基準に予め設定した基準方向に沿って表示順序が連続する図柄を表示させることで前記リーチラインを増加させるようになっており、前記リーチライン増加時に導出するリーチ形成図柄の中に、前記リーチラインが増加する迄に前記課題として提示されたリーチ形成図柄と同一のリーチ形成図柄が含まれる場合には、前記基準方向とは異なる方向に連続する図柄を表示させることでリーチラインを増加させることを要旨とする。
【００１０】
請求項５に記載の発明は、請求項１〜請求項４のうちいずれか一項に記載の遊技機において、前記規制手段は、前記大当り抽選に当選した場合には、前記リーチライン増加時に、前記課題として提示されたリーチ形成図柄と同一の図柄でリーチを形成可能とすることを要旨とする。
【発明の効果】
【００１１】
本発明によれば、課題付与演出に対する遊技者の誤認識を抑制することができる。
【図面の簡単な説明】
【００１２】
【図１】パチンコ遊技機の機表側を示す正面図。
【図２】遊技盤を示す拡大図。
【図３】大当り遊技又は小当り遊技の内容を示す説明図。
【図４】パチンコ遊技機の電気的構成を示すブロック図。
【図５】変動パターンの種類を説明する説明図。
【図６】リーチラインが増加する態様を示す模式図。
【図７】図柄決定処理の流れを示すフローチャート。
【図８】（ａ）〜（ｃ）は、増加後リーチ図柄の中にリーチライン増加前に提示された課題図柄と同一の図柄を含まないように実行される演出態様を示す模式図。
【図９】第２の実施形態における図柄決定処理の流れを示すフローチャート。
【図１０】（ａ）〜（ｅ）は、第２の実施形態における増加後リーチ図柄の中にリーチライン増加前に提示された課題図柄と同一の図柄を含まないように実行される演出態様を示す模式図。
【図１１】第３の実施形態における図柄決定処理の流れを示すフローチャート。
【図１２】（ａ）〜（ｃ）は、第３の実施形態における増加後リーチ図柄の中にリーチライン増加前に提示された課題図柄と同一の図柄を含まないように実行される演出態様を示す模式図。
【図１３】第４の実施形態における識別図柄を示す模式図。
【図１４】（ａ）〜（ｄ）は、第４の実施形態における増加後リーチ図柄の中にリーチライン増加前に提示された課題図柄と同一の図柄を含まないように実行される演出態様を示す模式図。
【図１５】（ａ）〜（ｃ）は、第５の実施形態における変更前と変更後の表示態様を示す模式図。
【発明を実施するための形態】
【００１３】
（第１の実施形態）
以下、本発明をその一種であるパチンコ遊技機に具体化した第１の実施形態を図１〜図８にしたがって説明する。
【００１４】
図１には、パチンコ遊技機１０が略示されており、パチンコ遊技機１０の機体の外郭をなす外枠１１の開口前面側には、各種の遊技用構成部材をセットする縦長方形の中枠１２が開放及び着脱自在に組み付けられているとともに、中枠１２の前面側には前枠１４が開閉及び着脱自在に組み付けられている。前枠１４は、図１に示すようにパチンコ遊技機１０を機正面側から見た場合において、中枠１２に重なるように組み付けられている。このため、中枠１２は、前枠１４の後側に配置されており、機正面側からは視認し得ないようになっている。前枠１４は、中央部に窓口１４ａを有するとともに、該窓口１４ａの下方にパチンコ遊技機１０の遊技媒体となる遊技球を貯留可能な第１貯留皿としての上皿（貯留皿）１５を一体成形した構成とされている。前枠１４の裏面側には、機内部に配置された遊技盤ＹＢを保護し、かつ窓口１４ａを覆う大きさのガラスを支持する図示しないガラス支持枠が着脱及び傾動開放可能に組み付けられている。遊技盤ＹＢは、中枠１２に装着される。また、前枠１４には、窓口１４ａのほぼ全周を囲むように、図示しない発光体（ランプ、ＬＥＤなど）の発光（点灯や点滅）により発光演出を行う電飾表示部を構成する上側ランプ部１６ａと、左側ランプ部１６ｂと、右側ランプ部１６ｃとが配置されている。各ランプ部１６ａ〜１６ｃは、前枠１４の前面に装着される複数の発光体を、該各発光体の発する光を透過可能に成形したランプレンズで覆って構成されている。
【００１５】
前枠１４には、窓口１４ａの左右上部に、各種音声を出力して音声演出を行う左スピーカ１７ａと、右スピーカ１７ｂとが配置されている。左スピーカ１７ａと右スピーカ１７ｂは、前枠１４の裏面に装着されており、該前枠１４の前面であって左スピーカ１７ａ及び右スピーカ１７ｂの装着部位に対応する部位には図示しない放音孔が複数形成されている。
【００１６】
中枠１２の前面側であって前枠１４の下部には、上皿１５から溢れ出た遊技球を貯留する第２貯留皿としての下皿（貯留皿）１８が装着されている。また、中枠１２の前面側であって下皿１８の右方には、遊技球を遊技盤ＹＢに発射させる際に遊技者によって回動操作される遊技球発射用の発射ハンドル１９が装着されている。また、前枠１４には、下皿１８の左方に、各種音声を出力して音声演出を行う下スピーカ１７ｃが配置されている。下スピーカ１７ｃは、中枠１２に装着されている。
【００１７】
上皿１５には、その左方側に機内部から払出される遊技球の図示しない払出口が設けられているとともに、遊技者の保有する遊技球を貯留する凹状の貯留通路１５ａが連設されており、さらに右方側に貯留通路１５ａ内の遊技球を機内部に取り込む図示しない上皿取込口が設けられている。上皿１５に貯留された遊技球は、貯留通路１５ａにより前記上皿取込口へ案内されるとともに該上皿取込口を介して１球ずつ機内に取り込まれ、遊技盤ＹＢに向けて発射される。遊技盤ＹＢに向けて発射される遊技球は、発射ハンドル１９の回動量に応じて発射の強弱が設定される。また、下皿１８には、上皿１５から溢れ出て流下した遊技球の出口１８ａが設けられているとともに、遊技球を貯留する凹状の貯留部１８ｂが遊技球の出口１８ａに連設されている。
【００１８】
次に、遊技盤ＹＢの構成について図２にしたがって詳しく説明する。
遊技盤ＹＢの前面には、発射ハンドル１９の操作によって発射された遊技球を誘導し、かつパチンコ遊技の主体となるほぼ円形の遊技領域Ｈ１を形成する誘導レール２０が円形渦巻き状に敷設されている。この誘導レール２０によって遊技盤ＹＢには、該遊技盤ＹＢの左下方から左上方に向かって延びる遊技球の誘導路２０ａが形成されるとともに、誘導レール２０の内側に遊技領域Ｈ１が形成される。また、遊技盤ＹＢの前面であって誘導レール２０の外側となる遊技領域Ｈ１外は、パチンコ遊技に直接関与しない非遊技領域Ｈ２とされている。
【００１９】
遊技盤ＹＢの遊技領域Ｈ１のほぼ中央（センター）には、各種の表示装置や各種の飾りを施した表示枠体（センター役物）２１が装着されている。表示枠体２１の略中央には、液晶ディスプレイ型の画像表示部ＧＨを有する表示手段としての演出表示装置２２をセット（装着）するためのセット口２１ａが、開口形成されている。演出表示装置２２には、複数列（本実施形態では３列）の図柄列を変動させて行う図柄変動ゲームを含み、該ゲームに関連して実行される各種の表示演出（遊技演出）が画像表示されるようになっている。本実施形態において演出表示装置２２の図柄変動ゲームでは、複数列（本実施形態では３列）の図柄からなる図柄組み合わせを導出する。なお、演出表示装置２２の図柄変動ゲームは、表示演出を多様化するための飾り図柄（演出図柄）を用いて行われる。
【００２０】
図２に示すように、表示枠体２１の左下の遊技領域Ｈ１には、７セグメント型の特別図柄表示装置２３が設けられている。特別図柄表示装置２３では、複数種類の特別図柄を変動させて表示する図柄変動ゲームが行われる。特別図柄は、大当りか否かの内部抽選（大当り抽選）の結果を示す報知用の図柄である。
【００２１】
そして、特別図柄表示装置２３では、図柄変動ゲームの開始により同時に特別図柄の変動表示が開始され、該ゲームの終了と同時に特別図柄が確定停止表示される。また、演出表示装置２２では、図柄変動ゲームの開始により同時に飾り図柄の変動表示が開始され、該ゲーム終了前に飾り図柄が一旦停止表示され、該ゲームの終了と同時に各列の飾り図柄が確定停止表示される。「変動表示」とは、図柄を表示する表示装置に定める表示領域内において表示される図柄の種類が変化している状態であり、「一旦停止表示」とは、前記表示領域内において図柄がゆれ変動状態で表示されている状態である。また、「確定停止表示」とは、前記表示領域内において図柄が確定停止している状態である。なお、特別図柄表示装置２３と演出表示装置２２では、同時に図柄変動ゲームと図柄変動ゲームに係わる表示演出が開始され、同時に終了する（すなわち、同時に特別図柄と飾り図柄が確定停止表示される）。
【００２２】
本実施形態において特別図柄表示装置２３には、複数種類（本実施形態では１０６種類）の特別図柄の中から、大当り抽選及び小当り抽選の抽選結果に対応する１つの特別図柄が選択され、その選択された特別図柄が図柄変動ゲームの終了によって確定停止表示される。複数種類の特別図柄は、大当りを認識し得る図柄となる１００種類の大当り図柄（大当り表示結果に相当する）と、小当りを認識し得る図柄となる５種類の小当り図柄（小当り表示結果に相当する）と、はずれを認識し得る図柄となる１種類のはずれ図柄とに分類される。なお、小当り抽選は、大当り抽選に当選しなかった場合に行うようになっている。また、大当り図柄が表示された場合、遊技者には、大当り遊技が付与される。また、小当り図柄が表示された場合、遊技者には、小当り遊技が付与される。本実施形態の大当り遊技及び小当り遊技については後で詳細に説明する。
【００２３】
また、本実施形態において演出表示装置２２には、各列毎に［０］、［１］、［２］、［３］、［４］、［５］、［６］、［７］、［８］、［９］の１０種類の数字が飾り図柄として表示されるようになっている。そして、本実施形態においては、演出表示装置２２の表示領域（画像表示面）を特別図柄表示装置２３の表示領域よりも遥かに大きく形成し、演出表示装置２２を遊技者の正面に目立つように配置している。このため、遊技者は、特別図柄表示装置２３よりも自身の目の前で多彩な画像によって表示演出が行われる演出表示装置２２の表示内容に注目し、該演出表示装置２２の図柄変動ゲームで導出されて確定停止表示される図柄組み合わせから大当り又ははずれを認識することになる。演出表示装置２２に停止表示された全列の図柄が同一図柄の場合には、その図柄組み合わせ（［２２２］［７７７］など）から大当り遊技が付与される大当りを認識できる。この大当りを認識できる図柄組み合わせが飾り図柄による大当りの図柄組み合わせ（大当り表示結果）となる。大当りの図柄組み合わせが確定停止表示されると、遊技者には、図柄変動ゲームの終了後に大当り遊技が付与される。
【００２４】
また、本実施形態のパチンコ遊技機１０では、演出表示装置２２に確定停止表示される飾り図柄のうち、［１１１］、［３３３］、［５５５］、［７７７］及び［９９９］によって構成される大当りの図柄組み合わせが、確変大当りを確定的に認識し得る図柄組み合わせ（確変確定の大当り図柄）として設定されている。一方、本実施形態のパチンコ遊技機１０では、演出表示装置２２に確定停止表示される飾り図柄のうち、［０００］、［２２２］、［４４４］、［６６６］及び［８８８］によって構成される大当りの図柄組み合わせが、非確変大当りを確定的に認識し得る図柄組み合わせ（非確変確定の大当り図柄）として設定されている。このように、確変確定の大当り図柄と非確変確定の大当り図柄では、確変状態が付与されることへの期待度が異なっており、非確変確定の大当り図柄よりも確変確定の大当り図柄の方が、遊技者にとって有利な図柄として設定されている。なお、以下の説明では、［１］［３］［５］［７］［９］で示す図柄を、確変確定図柄と示し、［０］［２］［４］［６］［８］で示す図柄を、非確変確定図柄と示す場合がある。
【００２５】
一方、演出表示装置２２に確定停止表示された全列の図柄が異なる種類の場合、又は１列の図柄が他の２列の図柄とは異なる種類の場合には、原則として、その図柄組み合わせ（［１２２］［７６７］など）からはずれを認識できる。このはずれを認識できる図柄組み合わせが飾り図柄によるはずれの図柄組み合わせ（はずれ表示結果）となる。なお、はずれの図柄組み合わせの中でも所定の図柄組み合わせ（本実施形態では、［０９０］［１０１］［２１２］［３２３］［４３４］［５４５］［６５６］［７６７］［８７８］［９８９］）が表示された場合には、大当り及び小当りのいずれかに当選したことを認識できる。この大当り及び小当りの何れかに当選したことを認識できる図柄組み合わせが、大当り抽選の抽選確率状態が高確率抽選状態となる確率変動状態（確変状態）が付与される可能性を示唆する確変示唆の図柄組み合わせとなる。
【００２６】
また、本実施形態において、演出表示装置２２における各列は、図柄変動ゲームが開始すると、予め定めた変動方向（縦スクロール方向）に沿って飾り図柄が変動表示されるようになっている。そして、図柄変動ゲームが開始すると（各列の飾り図柄が変動を開始すると）、演出表示装置２２において遊技者側から見て左列（左図柄）→右列（右図柄）→中列（中図柄）の順に飾り図柄が一旦停止表示されるようになっている。そして、一旦停止表示された左図柄と右図柄が同一図柄の場合には、その図柄組み合わせ（［１↓１］など、「↓」は変動中を示す）からリーチ状態を認識できる。リーチ状態は、複数列のうち、特定列（本実施形態では左列と右列）の飾り図柄が同一図柄となって一旦停止表示され、かつ前記特定列以外の列（本実施形態では中列）の飾り図柄が変動表示されている状態である。このリーチ状態を認識できる図柄組み合わせが飾り図柄によるリーチの図柄組み合わせとなる。また、本実施形態のパチンコ遊技機１０では、図柄変動ゲームの開始後、最初に飾り図柄を停止表示させる左列が第１停止表示列になるとともに、次に飾り図柄を停止表示させる右列が第２停止表示列になり、さらに最後に飾り図柄を停止表示させる中列が第３停止表示列となる。
【００２７】
なお、本実施形態では、左列は、…９→８→７→６→５→４→３→２→１→０（零）→９…というように順番に数字が小さくなっていき、０（零）となった場合には９に戻るような順番で変動するようになっている。一方、中列及び右列は、…０（零）→１→２→３→４→５→６→７→８→９→０（零）→１…というように順番に数字が大きくなっていき、９となった場合には０（零）に戻るような順番で変動するようになっている。本実施形態では、各列において前述したような順番で図柄が表示される際の順序を、表示順序として定義している。
【００２８】
また、演出表示装置２２には、特別図柄表示装置２３の表示結果に応じた図柄組み合わせが表示されるようになっている。特別図柄表示装置２３に表示される特別図柄と、演出表示装置２２に表示される飾り図柄による図柄組み合わせが対応されており、図柄変動ゲームが終了すると、特別図柄と飾り図柄による図柄組み合わせが対応して確定停止表示されるようになっている。例えば、特別図柄表示装置２３に大当り図柄が確定停止表示される場合には、原則として、演出表示装置２２にも［２２２］や［４４４］などの大当りの図柄組み合わせが確定停止表示されるようになっている。また、特別図柄表示装置２３に小当り図柄が確定停止表示される場合には、演出表示装置２２にも［１０１］［２１２］などの図柄組み合わせが確定停止表示されるようになっている。また、特別図柄表示装置２３にはずれ図柄が確定停止表示される場合には、演出表示装置２２にも［１２１］や［３４５］などのはずれの図柄組み合わせが確定停止表示されるようになっている。なお、特別図柄に対する飾り図柄の図柄組み合わせは一対一とは限らず、１つの特別図柄に対して複数の飾り図柄による図柄組み合わせの中から１つの飾り図柄による図柄組み合わせが選択されるようになっている。以上のように、本実施形態の演出表示装置２２では、図柄変動ゲームに係わる表示演出（３列の図柄を変動表示させて図柄の組み合わせを表示させる図柄変動ゲーム）が行われるようになっている。
【００２９】
図２の説明に戻り、表示枠体２１の左下の遊技領域Ｈ１であって、特別図柄表示装置２３の左下方には、複数個（本実施形態では４個）の特別図柄保留発光部を備えた特別図柄保留記憶表示装置Ｒａが設けられている。そして、特別図柄保留記憶表示装置Ｒａは、機内部で記憶した特別図柄用の始動保留球の記憶数（以下、「保留記憶数」と示す）を遊技者に報知する。本実施形態のパチンコ遊技機１０は、表示枠体２１の下方に配置される始動入賞口（上始動入賞口２５と下始動入賞口２６）へ遊技球が入球した場合、その入球した遊技球を始動保留球として記憶し、その始動保留球の個数を特別図柄用の保留記憶数として機内部（主制御基板３５の主制御用ＲＡＭ３５ｃ）で記憶するようになっている。特別図柄用の保留記憶数は、保留中（図柄変動ゲーム待機中）の図柄変動ゲームの回数を示している。特別図柄用の保留記憶数は、前記始動入賞口に遊技球が入球することで１加算され、図柄変動ゲームの開始により１減算される。したがって、図柄変動ゲーム中に始動入賞口へ遊技球が入球すると、特別図柄用の保留記憶数は更に加算され、所定の上限数（本実施形態では４個）まで累積されるようになっている。そして、特別図柄保留記憶表示装置Ｒａは、特別図柄保留発光部の点灯個数により保留中の図柄変動ゲームの回数（始動保留球の個数）を遊技者に報知する構成となっている。
【００３０】
また、表示枠体２１の左下の遊技領域Ｈ１であって、特別図柄表示装置２３の左方には、普通図柄表示装置２４が配設されている。この普通図柄表示装置２４では、複数種類の普通図柄を変動させて１つの普通図柄を導出する普通図柄変動ゲームが行われるようになっている。本実施形態において普通図柄表示装置２４は、図示しない発光体（ＬＥＤやランプなど）をレンズカバー（図２では表面に「○（丸）」と「×（ばつ）」を装飾したもの）で覆って構成した複数個（本実施形態では２個）の普通図柄表示部から構成されている。普通図柄表示装置２４では、大当りか否かの大当り抽選とは別に行う普図当りか否か（開閉羽根２７の開動作により下始動入賞口２６を開放するか否か）の内部抽選（普図当り抽選）の抽選結果を表示する。そして、本実施形態の普通図柄表示装置２４では、普図当り抽選で普図当りを決定している場合には普通図柄変動ゲームで普通図柄からなる普図当り用の図柄が確定停止表示（本実施形態では「○（丸）」側の普通図柄表示部が点灯）される。一方、本実施形態の普通図柄表示装置２４では、普図当り抽選で普図はずれを決定している場合には普通図柄変動ゲームで普通図柄からなる普図はずれ用の図柄が確定停止表示（本実施形態では「×（ばつ）」側の普通図柄表示部が点灯）される。
【００３１】
また、表示枠体２１の左下の遊技領域Ｈ１であって、特別図柄表示装置２３と普通図柄表示装置２４の間には、複数個（本実施形態では４個）の普通図柄保留発光部を備えた普通図柄保留記憶表示装置Ｒｂが設けられている。そして、普通図柄保留記憶表示装置Ｒｂは、機内部で記憶した普通図柄用の始動保留球の記憶数（以下、「保留記憶数」と示す）を遊技者に報知する。本実施形態のパチンコ遊技機１０は、表示枠体２１の左方に配置される普通図柄作動ゲート３０へ遊技球が入球した場合、その入球した遊技球を始動保留球として記憶し、その始動保留球の個数を普通図柄用の保留記憶数として機内部（主制御基板３５の主制御用ＲＡＭ３５ｃ）で記憶するようになっている。普通図柄用の保留記憶数は、保留中（普通図柄変動ゲーム待機中）の普通図柄変動ゲームの回数を示している。普通図柄用の保留記憶数は、普通図柄作動ゲート３０に遊技球が入球することで１加算され、普通図柄変動ゲームの開始により１減算される。したがって、普通図柄変動ゲーム中に普通図柄作動ゲート３０へ遊技球が入球すると、普通図柄用の保留記憶数は更に加算され、所定の上限数（本実施形態では４個）まで累積されるようになっている。そして、普通図柄保留記憶表示装置Ｒｂは、普通図柄保留発光部の点灯個数により保留中の普通図柄変動ゲームの回数（始動保留球の個数）を遊技者に報知する構成となっている。
【００３２】
また、図２に示すように、表示枠体２１の下方の遊技領域Ｈ１には、遊技球の入球口２５ａを有する上始動入賞口２５と遊技球の入球口２６ａを有する下始動入賞口２６が上下方向に並ぶように配置されている。上始動入賞口２５は、常時遊技球の入球を許容し得るように入球口２５ａを常時開放させた構成とされている。一方で、下始動入賞口２６は普通電動役物とされ、図示しないアクチュエータ（ソレノイド、モータなど）の作動により開閉動作を行う開閉羽根２７を備えており、開閉羽根２７が開動作することにより遊技球の入球を許容し得るように入球口２６ａを開放させる構成とされている。換言すれば、下始動入賞口２６は、開閉羽根２７が開動作して入球口２６ａが開放されない限り、遊技球の入球を不能とする構成とされている。
【００３３】
上始動入賞口２５と下始動入賞口２６の各奥方には、入球した遊技球を検知する始動口スイッチＳＷ１，ＳＷ２（図４に示す）が配設されている。上始動入賞口２５と下始動入賞口２６は、入球した遊技球を検知することにより、図柄変動ゲームの始動条件と予め定めた個数の賞球としての遊技球の払出条件を付与し得る。下始動入賞口２６は開閉羽根２７が開動作すると、入口が拡大されて遊技球が入球し易い状態とされる一方で、開閉羽根２７が閉動作すると、入口が拡大されずに遊技球の入球が不能となる状態とされる。
【００３４】
また、図２に示すように、下始動入賞口２６の下方の遊技領域Ｈ１には、図示しないアクチュエータ（ソレノイド、モータなど）の作動により開閉動作を行う大入賞口扉２８を備えた大入賞口（特別電動役物）２９が配設されている。大入賞口２９の奥方には、入球した遊技球を検知するカウントスイッチＳＷ３（図４に示す）が配設されている。大入賞口２９は、入球した遊技球を検知することにより、予め定めた個数の賞球としての遊技球の払出条件を付与し得る。そして、大当り遊技又は小当り遊技が付与されると、大入賞口扉２８の開動作によって大入賞口２９が開放されて遊技球の入球が許容されるため、遊技者は、賞球を獲得できるチャンスを得ることができる。そして、この当り遊技（大当り遊技又は小当り遊技）は、内部抽選で当りを決定し、図柄変動ゲームにて当り図柄（大当り図柄と小当り図柄を含む）が確定停止表示されることを契機に付与される。
【００３５】
また、図２に示すように、表示枠体２１の左方の遊技領域Ｈ１には、普通図柄作動ゲート３０が配設されている。普通図柄作動ゲート３０の奥方には、該普通図柄作動ゲート３０へ入球し通過した遊技球を検知する普通図柄変動スイッチＳＷ４（図４に示す）が設けられている。普通図柄作動ゲート３０は、遊技球の通過を契機に、普通図柄変動ゲームの始動条件のみを付与し得る。
【００３６】
また、遊技盤ＹＢの遊技領域Ｈ１の最下方（大入賞口２９よりも下方）には、遊技領域Ｈ１に発射された後、何れの入賞口にも入球しなかった遊技球をアウト球として機外に排出するためのアウト球口３１が形成されている。アウト球口３１を通過した遊技球は、パチンコ遊技機１０の設置設備（遊技島）に配設されたアウト球タンク（図示しない）に排出される。
【００３７】
また、本実施形態のパチンコ遊技機１０は、確率変動（以下、「確変」と示す）機能を備えている。確変機能は、確変大当りに当選したことを条件として、大当り遊技終了後に大当りの抽選確率状態を低確率抽選状態（本実施形態では４／１４７１）から高確率抽選状態（本実施形態では３６／１４７１）に変動させる確変状態（確率変動状態）を付与する機能である。また、確変状態は、次回の大当りが生起される迄の間、付与される。このように、確変状態が付与されると、大当りの抽選確率が高確率に変動して大当りが生起され易くなるため、確変状態は遊技者にとって有利であり、遊技者は確変大当りになることを期待しつつ遊技を行っている。
【００３８】
本実施形態では、大当り遊技終了後に確変状態を付与する大当りが確変大当りとなり、大当り遊技終了後に確変状態が付与されない（非確変状態が付与される）大当りが非確変大当りとなる。本実施形態のパチンコ遊技機１０では、１００種類の特別図柄の大当り図柄のうち、７７種類の特別図柄が確変大当りとなる特別図柄（特定図柄）に設定されているとともに、２３種類の特別図柄が非確変大当りとなる特別図柄（非特定図柄）に設定されている。
【００３９】
また、本実施形態のパチンコ遊技機１０は、変動時間短縮（以下、「変短」と示す）機能を備えている。変短機能は、普通図柄変動ゲームの変動時間が短縮されるとともに、普通図柄作動ゲート３０の通過に基づく普通図柄変動ゲームの抽選確率状態（普通当りの当選確率）が低確率抽選状態から高確率抽選状態に変動する変短状態を特典として付与する機能である。また、変短状態が付与されている場合と変短状態が付与されていない場合とで下始動入賞口２６の開閉羽根２７は、普通図柄変動ゲームにおいて当選した際、異なる動作パターンで開閉動作するようになっている。すなわち、変短状態が付与されていない時に普通図柄変動ゲームに当選する場合には、開閉羽根２７が第１回数（例えば１回）分開放し、開放してから第１開放時間（例えば、３００ｍｓ）経過するまで開放状態を維持するようになっている。一方、変短状態が付与されている時に普通図柄変動ゲームに当選する場合には、開閉羽根２７が開放する回数が増加（例えば、３回）して第１回数よりも多い第２回数となり、１回の開放において開放してから第１開放時間よりも長い第２開放時間（例えば、１８００ｍｓ）が経過するまで開放状態を維持するようになっている。すなわち、開閉羽根２７は、変短状態が付与されている場合、変短状態が付与されていない状態に比較して、遊技者にとって有利に動作するように設定されている。変短状態中は、開閉羽根２７が遊技者にとって有利に動作し、単位時間当りの下始動入賞口２６への遊技球の入球率が向上するので、変短状態は入球率向上状態となる。そして、変短状態は、予め定めた回数の図柄変動ゲームが行われる迄の間、又は前記回数に達する前に大当りが生起される迄の間、付与される。すなわち、変短状態は、予め定めた回数に相当する図柄変動ゲームの終了時迄の間、又は前記回数に達する前に大当りが生起される図柄変動ゲームの終了時迄の間、付与される。
【００４０】
本実施形態では、大当り遊技の終了後における開閉羽根２７の単位時間あたりの開放時間を増加させる変短状態が、開放時間増加状態となる。一方、大当り遊技の終了後における開閉羽根２７の単位時間あたりの開放時間を増加させない非変短状態が、開放時間非増加状態となる。なお、変短状態（開放時間増加状態）中は、１回の普図当りによって開閉羽根２７が開放される時間の合計が、非変短状態時よりも増加する。
【００４１】
以下、本実施形態のパチンコ遊技機１０に規定する大当り遊技（１５ラウンド大当り遊技と２ラウンド大当り遊技）、及び小当り遊技について、図３をもとに詳しく説明する。
本実施形態のパチンコ遊技機１０では、大当り抽選に当選した場合、３種類の大当り遊技の中から１つの大当り遊技の種類が決定され、その決定された大当り遊技が付与されるようになっている。そして、３種類の大当り遊技のうち、何れの大当り遊技を付与するかは、大当り抽選に当選した際に決定する特別図柄（大当り図柄）の種類に応じて決定されるようになっている。本実施形態において１００種類の特別図柄の大当り図柄は、図３に示すように、図柄ａ、図柄ｂ、及び図柄ｃの３種類に分類されている。また、図３に示す図柄ｄには、小当りに対応する５種類の特別図柄（小当り図柄）が振分けられている。そして、図柄ａには６０種類の大当り図柄が、図柄ｂには１７種類の大当り図柄が、図柄ｃには２３種類の大当り図柄が、それぞれ属している。
【００４２】
図柄ａ及び図柄ｃに基づく大当り遊技は、規定ラウンド数が「１５回」に設定されている１５ラウンド大当り遊技である。なお、図柄ａに基づく大当り遊技は、大当り遊技終了後に確変状態を付与する一方で、図柄ｃに基づく大当り遊技は、大当り遊技終了後に非確変状態を付与する点が異なっている。以下、図柄ａに基づく大当り遊技を「確変１５Ｒ大当り遊技」と示す。また、図柄ｃに基づく大当り遊技を「非確変１５Ｒ大当り遊技」と示す。確変１５Ｒ大当り遊技及び非確変１５Ｒ大当り遊技では、１回のラウンド遊技の入球上限個数（カウント数）及び各ラウンド遊技における大入賞口２９の開放回数が、図３に示すように設定されている。また、確変１５ラウンド大当り遊技では、大当り抽選の当選時における遊技状態に関係なく、大当り遊技終了後に確変状態と、その確変状態の終了時まで変短状態を付与するようになっている。なお、図３では、確変状態の終了時まで変短状態を付与する場合を「リミットなし」と表記している。一方、非確変１５ラウンド大当り遊技では、大当り抽選の当選時における遊技状態に関係なく、大当り遊技終了後には確変状態を付与せずに、予め定めた回数（本実施形態では１００回）を上限回数として変短状態を付与するようになっている。
【００４３】
図柄ｂに基づく大当り遊技は、規定ラウンド数が「２回」に設定されているとともに、大当り遊技終了後に確変状態を付与する２ラウンド大当り遊技である。以下、図柄ｂに基づく大当り遊技を「確変２Ｒ大当り遊技」と示す。確変２Ｒ大当り遊技では、１回のラウンド遊技の入球上限個数（カウント数）及び各ラウンド遊技における大入賞口２９の開放回数が、図３に示すように設定されている。また、確変２Ｒ大当り遊技では、大当り抽選の当選時における遊技状態に応じて、大当り遊技終了後に確変状態とその確変状態の終了時まで変短状態を付与する場合と、大当り遊技終了後に確変状態のみを付与する場合とがある。
【００４４】
図柄ｄに基づく小当り遊技は、規定ラウンド数が「１回」に設定されているとともに、１回のラウンド遊技の入球上限個数（カウント数）が「９球」に設定されている。また、小当り遊技の１回のラウンド遊技では、大入賞口２９を「２回」開放させるように設定されている。また、小当り遊技では、当該小当り遊技終了後の遊技状態を、小当り抽選の当選時における遊技状態で継続させるようになっている。すなわち、小当り遊技では、小当り抽選の当選時の遊技状態が確変状態であれば小当り遊技終了後の遊技状態を確変状態に継続させるとともに、小当り抽選の当選時の遊技状態が変短状態であれば小当り遊技終了後の遊技状態を変短状態に継続させる。また、小当り遊技では、小当り抽選の当選時の遊技状態が非確変状態であれば小当り遊技終了後の遊技状態を非確変状態に継続させるとともに、小当り抽選の当選時の遊技状態が非変短状態であれば小当り遊技終了後の遊技状態を非変短状態に継続させる。
【００４５】
これらの各大当り遊技及び小当り遊技では、オープニング時間、１回のラウンド遊技のラウンド遊技時間及びエンディング時間が、図３に示すように、それぞれ設定されている。各ラウンド遊技は、入球上限個数分の遊技球が入球することにより終了する場合もあることから、図３に示す１回のラウンド遊技のラウンド遊技時間は最大時間となる。
【００４６】
本実施形態では、確変２Ｒ大当り遊技を付与する図柄変動ゲームの変動停止から確変２Ｒ大当り遊技を経て次の図柄変動ゲームが開始する迄の時間と、小当り遊技を付与する図柄変動ゲームの変動停止から小当り遊技を経て次の図柄変動ゲームが開始する迄の時間が、同一時間に設定されている。したがって、本実施形態において、確変２Ｒ大当り遊技と小当り遊技は、大入賞口２９の開閉動作態様や時間からその差異を遊技者が判別不能となっている。すなわち、遊技者は、確変２Ｒ大当り遊技及び小当り遊技の何れが付与されたのかを大入賞口２９の開閉動作や時間からは判別し得ない。
【００４７】
なお、図３の「当った時の状態」欄に示す「低確＋変短なし」、「低確＋変短あり」、「高確＋変短なし」、「高確＋変短あり」の４つの状態は、それぞれ次のような状態を示す。「低確＋変短なし」は、非確変状態で、かつ非変短状態を示し、本実施形態のパチンコ遊技機１０においては「通常状態」となる。なお、「低確＋変短なし」の状態は、非確変１５Ｒ大当り遊技に当選し、大当り遊技終了後、１００回の図柄変動ゲームが終了すること、及び「低確＋変短なし」の状態で小当り遊技に当選することによって作り出される。「低確＋変短あり」は、非確変状態で、かつ変短状態を示し、本実施形態のパチンコ遊技機１０において「低確＋変短あり」の状態は、非確変１５Ｒ大当り遊技に当選すること、及び「低確＋変短あり」の状態で小当り遊技に当選することによって作り出される。「高確＋変短なし」は、確変状態で、かつ非変短状態を示し、本実施形態のパチンコ遊技機１０において「高確＋変短なし」の状態は、「低確＋変短なし」の状態、又は「高確＋変短なし」の状態で確変２Ｒ大当り遊技に当選することによって作り出される。また、「高確＋変短なし」の状態は、「高確＋変短なし」の状態で小当り遊技に当選することによっても作り出される。「高確＋変短あり」は、確変状態で、かつ変短状態を示し、本実施形態のパチンコ遊技機１０において「高確＋変短あり」の状態は、確変１５Ｒ大当り遊技に当選することによって作り出される。また、本実施形態のパチンコ遊技機１０において「高確＋変短あり」の状態は、「低確＋変短あり」の状態、又は「高確＋変短あり」の状態で確変２Ｒ大当り遊技に当選することによっても作り出される。また、「高確＋変短あり」の状態は、「高確＋変短あり」の状態で小当り遊技に当選することによっても作り出される。
【００４８】
そして、本実施形態のパチンコ遊技機１０は、最終停止図柄及び遊技状態に基づき、演出モードが設定されるようになっている。前記演出モードは、遊技状態を遊技者に対して示唆する演出であり、本実施形態では、３つの演出モードが存在し、演出モード毎に少なくとも背景画像が変更されるようになっている。本実施形態の演出モードには、遊技者に確変状態が付与されていない確率が高いことを認識させる通常モードがある。本実施形態の通常モードにおいては、演出表示装置２２にて、「通常モード中」という文字列が表示されるようになっている。
【００４９】
また、演出モードには、変短状態が付与されていることを確定的に示す変短モードがある。本実施形態の変短モードにおいては、演出表示装置２２にて、「変短モード中」という文字列が表示されるようになっている。なお、変短モードには、確変状態が付与されている場合のみ移行可能な確変確定の変短モードと、確変状態が付与されていない場合のみ移行可能な非確変確定の変短モードがある。また、演出モードには、変短状態が付与されていないことを前提とし、高確率抽選状態及び低確率抽選状態のいずれの場合でも移行可能な高確示唆モードがある。本実施形態の高確示唆モードにおいては、演出表示装置２２にて、「高確示唆モード中」という文字列が表示されるようになっている。
【００５０】
そして、本実施形態では、「低確＋変短なし」の状態、又は「高確＋変短なし」の状態となっている通常モード滞在中に確変２Ｒ大当り遊技又は小当り遊技に当選した場合、高確示唆モードに移行するようになっている。これにより、高確示唆モードに移行した際には、大当り抽選の抽選確率（当選確率）が、低確率状態及び高確率状態の何れの状態であるのか（確変状態が付与されているのか否か）が遊技者に秘匿されることになる。
【００５１】
そして、高確示唆モード中は、図柄変動ゲームで所定の演出を出現させることを課題（ミッション）として遊技者に提示し、その提示した演出の出現によって大当り図柄を導出する課題付与演出（ミッション演出）を実行可能に構成されている。ミッション演出は、通常、大当り抽選に当選した時に、遊技者に提示するミッションに合致する演出を出現させるように図柄変動ゲームの演出内容を決定することで行われる。このため、ミッション演出は、遊技者の見た目上、提示されたミッションに合致する演出が図柄変動ゲームで出現するので、当該ミッションの達成によって大当りを得られたかのような演出表現となる。なお、ミッション演出の開始条件及び終了条件や、遊技者に提示されるミッション内容などのミッション演出に係る具体的な制御内容は後述する。
【００５２】
そして、本実施形態のパチンコ遊技機１０では、高確示唆モードの終了条件を、確変１５Ｒ大当り遊技、非確変１５Ｒ大当り遊技、確変２Ｒ大当り遊技、及び小当り遊技のうち何れかに当選することとしている。なお、確変１５Ｒ大当り遊技又は非確変１５Ｒ大当り遊技に当選した場合、変短モードに移行するようになっている。また、確変２Ｒ大当り遊技又は小当り遊技に当選した場合、当り遊技を経て、高確示唆モードへ移行（継続）するようになっている。また、高確示唆モードの終了条件は、前述した４種類の当り遊技に当選することに加え、高確示唆モード開始後、予め定めた回数（本実施形態では「１０回」）の図柄変動ゲーム終了後、以後（１０回目以後）の図柄変動ゲームの開始毎に、終了契機の到来とするか否かの終了抽選に当選することとしている。なお、当該終了抽選は、はずれ演出用の変動パターンに基づく図柄変動ゲームである条件下で実行されるようになっている。そして、当該終了抽選に当選した場合、高確示唆モードから通常モードへ移行するようになっている。一方、当該終了抽選に当選しなかった場合、高確示唆モードが継続される。なお、終了抽選では、「転落」及び「継続」を決定する確率を所定の確率となるように乱数を振分けて乱数抽選が実行される。さらに、終了抽選では、終了抽選が行われるときの抽選確率状態が高確率抽選状態のときよりも低確率抽選状態の方が、「転落」に当選し易くなるように乱数を振分けている。
【００５３】
また、「低確＋変短あり」の状態、又は「高確＋変短あり」の状態となっている変短モード滞在中に確変１５Ｒ大当り遊技に当選した場合、大当り遊技を経て確変確定の変短モードに移行するようになっている。一方、「低確＋変短あり」の状態、又は「高確＋変短あり」の状態となっている変短モード滞在中に非確変１５Ｒ大当り遊技に当選した場合、大当り遊技を経て非確変確定の変短モードに移行するようになっている。また、「低確＋変短あり」の状態、又は「高確＋変短あり」の状態となっている変短モード滞在中に確変２Ｒ大当り遊技に当選した場合、大当り遊技を経て確変確定の変短モードに移行するようになっている。また、「低確＋変短あり」の状態、又は「高確＋変短あり」の状態となっている変短モード滞在中に小当り遊技に当選した場合、小当り遊技を経て滞在中の変短モードに移行（継続）するようになっている。
【００５４】
次に、パチンコ遊技機１０の制御構成について図４に基づき説明する。
パチンコ遊技機１０の機裏側には、パチンコ遊技機１０全体を制御する主制御基板３５が装着されている。主制御基板３５は、パチンコ遊技機１０全体を制御するための各種処理を実行し、該処理結果に応じて遊技を制御するための各種の制御指令としての制御信号（制御コマンド）を演算処理し、該制御信号（制御コマンド）を出力する。また、機裏側には、サブ統括制御基板３６と、演出表示制御基板３７と、音声・ランプ制御基板３８が装着されている。
【００５５】
サブ統括制御基板３６は、主制御基板３５が出力した制御信号（制御コマンド）に基づき、演出表示制御基板３７、及び音声・ランプ制御基板３８を統括的に制御する。演出表示制御基板３７は、主制御基板３５とサブ統括制御基板３６が出力した制御信号（制御コマンド）に基づき、演出表示装置２２の表示態様（図柄、背景、文字などの表示画像など）を制御する。また、音声・ランプ制御基板３８は、主制御基板３５とサブ統括制御基板３６が出力した制御信号（制御コマンド）に基づき、各種ランプ部１６ａ〜１６ｃの発光態様（点灯（点滅）／消灯のタイミングなど）及びスピーカ１７ａ〜１７ｃの音声出力態様（音声出力のタイミングなど）を制御する。
【００５６】
以下、主制御基板３５、サブ統括制御基板３６及び演出表示制御基板３７について、その具体的な構成を説明する。
主制御基板３５には、制御動作を所定の手順で実行することができる主制御用ＣＰＵ３５ａと、主制御用ＣＰＵ３５ａの制御プログラムを格納する主制御用ＲＯＭ３５ｂと、必要なデータの書き込み及び読み出しができる主制御用ＲＡＭ３５ｃが設けられている。主制御用ＣＰＵ３５ａには、主制御用ＲＯＭ３５ｂと主制御用ＲＡＭ３５ｃが接続されている。また、主制御用ＣＰＵ３５ａには、上始動入賞口２５に入球した遊技球を検知する上始動口スイッチＳＷ１と、下始動入賞口２６に入球した遊技球を検知する下始動口スイッチＳＷ２が接続されている。また、主制御用ＣＰＵ３５ａには、大入賞口２９に入球した遊技球を検知するカウントスイッチＳＷ３と、普通図柄作動ゲート３０を通過した遊技球を検知する普通図柄変動スイッチＳＷ４が接続されている。
【００５７】
また、主制御用ＣＰＵ３５ａには、図柄表示基板３９を介して、特別図柄表示装置２３、普通図柄表示装置２４、特別図柄保留記憶表示装置Ｒａ、及び普通図柄保留記憶表示装置Ｒｂが接続されている。図柄表示基板３９は、特別図柄表示装置２３、普通図柄表示装置２４、特別図柄保留記憶表示装置Ｒａ、及び普通図柄保留記憶表示装置Ｒｂと対応する位置にそれぞれ装着されており、各表示装置２３，２４，Ｒａ，Ｒｂを構成する発光体（本実施形態ではＬＥＤ）が装着されている。
【００５８】
また、主制御用ＣＰＵ３５ａは、特別図柄用の当り判定用乱数などの各種乱数の値を所定の周期毎に更新し、更新後の値を主制御用ＲＡＭ３５ｃの設定領域に記憶（設定）して更新前の値を書き換えている。また、主制御用ＣＰＵ３５ａはタイマ機能を搭載しており、所定のタイミング（例えば、図柄変動ゲームを開始するタイミング）で時間を計測する。また、主制御用ＣＰＵ３５ａには、パチンコ遊技機１０の動作中に適宜書き換えられる各種情報（乱数値、タイマ値、フラグなど）が記憶（設定）されるようになっている。
【００５９】
主制御用ＲＯＭ３５ｂには、パチンコ遊技機１０全体を制御するためのメイン制御プログラムが記憶されている。また、主制御用ＲＯＭ３５ｂには、メイン制御プログラムに加え、複数種類の変動パターンが記憶されている。変動パターンは、演出表示装置２２及び特別図柄表示装置２３において図柄の変動開始による図柄変動ゲームが開始してから、演出表示装置２２及び特別図柄表示装置２３において図柄が確定停止表示されて図柄変動ゲームが終了するまでの間の遊技演出（表示演出、発光演出、音声演出）のベースとなるパターンを示すものである。すなわち、変動パターンは、特別図柄が変動開始してから特別図柄が確定停止表示されるまでの間の図柄変動ゲームの演出内容及び演出時間（変動時間）を特定することができる。そして、変動パターンは、当り演出用、はずれリーチ演出用及びはずれ演出用からなる変動内容毎に分類されている。
【００６０】
当り演出用の変動パターンに基づき行われる当り演出は、図柄変動ゲームが、リーチ演出を経て、最終的に当りの図柄組み合わせ（大当りの図柄組み合わせ及び確変示唆の図柄組み合わせを含む）を確定停止表示させるように展開される当り演出である。また、はずれリーチ演出用の変動パターンに基づき行われるはずれリーチ演出は、図柄変動ゲームが、リーチ演出を経て、最終的にはずれの図柄組み合わせを確定停止表示させるように展開される演出である。また、はずれ演出用の変動パターンに基づき行われるはずれ演出は、図柄変動ゲームが、リーチ演出を経ることなく最終的にはずれの図柄組み合わせを確定停止表示させるように展開される演出である。リーチ演出は、演出表示装置２２の飾り図柄による図柄変動ゲームにおいて、リーチの図柄組み合わせが形成されてから、最終的に図柄組み合わせ（当りの図柄組み合わせ又ははずれの図柄組み合わせ）が導出される迄の間に行われる演出である。また、特別図柄表示装置２３では、図柄変動ゲームが開始されると、リーチ演出を行うことなく、変動時間の経過時まで図柄の変動が継続される。また、はずれ演出用の変動パターンに基づき行われるはずれ演出は、図柄変動ゲームの開始後、各列の図柄を予め定めた変動停止順序（例えば、左列→右列→中列）にしたがって変動を停止させて各列に図柄を導出させるはずれ演出である。
【００６１】
本実施形態のパチンコ遊技機１０には、複数の変動パターンが設定されており、図５はその一例を示している。変動パターンＰ１は、はずれ演出用の変動パターンであり、変動時間として時間Ｔ１が設定されている。また、変動パターンＰ２は、当り演出用の変動パターンであり、リーチ状態を認識し得るリーチライン（リーチを形成する数）の本数が変化しないようになっている。なお、図５では、リーチラインの本数が変化しないことを「増加なし」と示している。そして、変動パターンＰ２には、変動時間として時間Ｔ２が設定されている。また、変動パターンＰ３は、はずれリーチ演出用の変動パターンであり、リーチラインの本数が変化しないようになっている。そして、変動パターンＰ３には、変動時間として時間Ｔ３が設定されている。
【００６２】
また、変動パターンＰ４〜Ｐ６は、当り演出用の変動パターンであり、リーチラインの本数が増加するようになっている。一方、変動パターンＰ７は、はずれリーチ演出用の変動パターンであり、リーチラインの本数が増加するようになっている。変動パターンＰ４〜Ｐ７に基づく図柄変動ゲームでは、図６に示すように、演出表示装置２２において、左列と右列に同一図柄が導出されて１本のリーチラインが形成された後（この例では、［４↓４］）、所定のキャラクタを題材としたリーチ演出に移行する。そして、所定時間の経過後に、リーチラインの本数が、１本のリーチラインから３本のリーチライン（リーチラインＬＡ〜ＬＣ）に増加する。なお、複数のリーチラインを形成する図柄は、リーチライン毎に異なる図柄とされているとともに、リーチライン増加前のリーチ形成図柄を基準として表示順序が連続する図柄とされている。図６に示す例では、各リーチラインのリーチ形成図柄は、［４］と［５］と［６］となる。
【００６３】
そして、当り演出用の変動パターンＰ４からは、リーチラインの本数が増加した後、リーチラインＬＡ上に大当りの図柄組み合わせを導出させる演出内容が特定されるようになっている。なお、図５では、当りの図柄組み合わせを導出させるリーチラインを括弧内に示している。また、当り演出用の変動パターンＰ５からは、リーチラインの本数が増加した後、リーチラインＬＢ上に当りの図柄組み合わせを導出させる演出内容が特定されるようになっている。また、当り演出用の変動パターンＰ６からは、リーチラインの本数が増加した後、リーチラインＬＣ上に大当りの図柄組み合わせを導出させる演出内容が特定されるようになっている。また、当り演出用の変動パターンＰ４には、変動時間として時間Ｔ４が、当り演出用の変動パターンＰ５には、変動時間として時間Ｔ５が、当り演出用の変動パターンＰ６には、変動時間として時間Ｔ６がそれぞれ設定されている。
【００６４】
そして、これらの変動パターンＰ４〜Ｐ６では、中列の変動数が多いほど変動時間が長くなるように設定されているため、時間Ｔ４＜時間Ｔ５＜時間Ｔ６の順に変動時間が長くなっている。
【００６５】
同様に、はずれリーチ演出用の変動パターンＰ７からは、リーチラインの本数が増加した後、リーチラインＬＣ上に、大当り抽選の抽選結果に基づくリーチ状態を認識可能なはずれの図柄組み合わせ（以下、はずれリーチの図柄組み合わせと示す）を導出させる演出内容が特定されるようになっている。なお、図６では、はずれリーチの図柄組み合わせを導出させるリーチラインを括弧内に示している。また、はずれリーチ演出用の変動パターンＰ７には、変動時間として時間Ｔ７が設定されている。そして、変動パターンＰ７では、時間Ｔ６＜時間Ｔ７の順に変動時間が長くなるように設定されている。
【００６６】
以下、図柄組み合わせを導出させるリーチラインの位置と変動時間との関連性を説明するために、変動パターンＰ４〜Ｐ６に基づく図柄変動ゲームにおける演出態様を説明する。前述したように、中列では、…０（零）→１→２→３→４→５→６→７→８→９→０（零）→１…というように順番に数字が大きくなっていき、９となった場合には０（零）に戻るような順番で変動するようになっている。
【００６７】
したがって、図６では、リーチラインＬＡ上に大当りの図柄組み合わせを導出させる場合、中列の中段に、恰もリーチラインＬＡ上に［３］が停止表示されるような煽り演出を行った後、［４］が導出された時点で、リーチラインＬＡ上に導出された大当りの図柄組み合わせ（［４４４］）は確定停止表示される。一方、リーチラインＬＢ上に大当りの図柄組み合わせを導出させる場合、中列の中段に［４］が導出された後、恰もリーチラインＬＡ上に［４］が停止表示されるような煽り演出を行った後、［４］を中列の下段にスクロールし、代わりに中列の中段に［５］を導出する。そして、中列の中段に、恰もリーチラインＬＢ上に［６］が停止表示されるような煽り演出を行った後、［５］が導出された時点で、リーチラインＬＢ上に導出された大当りの図柄組み合わせ（［５５５］）は確定停止表示される。さらに、リーチラインＬＣ上に大当りの図柄組み合わせを導出させる場合、中列の中段に［４］が導出された後、恰もリーチラインＬＡ上に［４］が停止表示されるような煽り演出を行った後、［４］を中列の下段にスクロールし、代わりに中列の中段に［５］を導出する。続いて、恰もリーチラインＬＢ上に［５］が停止表示されるような煽り演出を行った後、［５］を中列の下段にスクロールし、代わりに中列の中段に［６］を導出する。そして、中列の中段に、恰もリーチラインＬＣ上に［７］が停止表示されるような煽り演出を行った後、［６］が導出された時点で、リーチラインＬＣ上に導出された大当りの図柄組み合わせ（［６６６］）は確定停止表示される。このような演出態様により、時間Ｔ４＜時間Ｔ５＜時間Ｔ６の順に変動時間が長くなる。また、はずれリーチ演出用の変動パターンＰ７においても、当り演出用の変動パターンＰ６に基づく図柄変動ゲームと同様の手順で演出が実行され、最終的にはずれリーチの図柄組み合わせ（例えば、［６７６］）がリーチラインＬＣ上に導出されるようになっている。本実施形態では、変動パターンＰ４〜Ｐ７に基づいて実行される図柄変動ゲームが特定リーチ演出となる。
【００６８】
また、主制御用ＲＯＭ３５ｂには、大当り判定値が記憶されている。大当り判定値は、大当りか否かの大当り抽選（大当り判定）で用いる判定値であり、特別図柄用の当り判定用乱数の取り得る数値（０〜１４７０までの全１４７１通りの整数）の中から定められている。さらに、大当り判定値は、遊技状態が非確変状態（低確率抽選状態）の時の大当り抽選で用いる低確率用の大当り判定値と、遊技状態が確変状態（高確率抽選状態）の時の大当り抽選で用いる高確率用の大当り判定値とがある。そして、確変状態時の大当り判定値の数（本実施形態では３６個）は、非確変状態時の大当り判定値の数（本実施形態では４個）よりも多く設定されている。このため、本実施形態のパチンコ遊技機１０では、非確変状態における大当り抽選で大当りに当選する確率が、１４７１分の４（＝３６７．７５分の１）となり、確変状態における大当り抽選で大当りに当選する確率が、１４７１分の３６（＝４０．８６分の１）となる。
【００６９】
また、主制御用ＲＯＭ３５ｂには、小当り判定値が記憶されている。小当り判定値は、小当り抽選（小当り判定）で用いる判定値であり、特別図柄用の当り判定用乱数の取り得る数値（０〜１４７０までの全１４７１通りの整数）の中から定められている。
【００７０】
また、主制御用ＲＡＭ３５ｃには、大当りか否かの大当り抽選（大当り判定）で用いるとともに、大当り抽選に当選しなかった場合に小当りか否かの小当り抽選（小当り判定）で使用する特別図柄用の当り判定用乱数が記憶されている。本実施形態において、特別図柄用の当り判定用乱数は、各始動入賞口２５，２６へ遊技球が入賞したことを契機に取得されるようになっている。また、主制御用ＲＡＭ３５ｃには、大当り決定時に大当り図柄となる特別図柄の種類を決定する際に用いる特図振分用乱数が記憶されている。各特別図柄には、この特図振分用乱数が所定個数（本実施形態では１個）ずつ振り分けられており、主制御用ＣＰＵ３５ａは、大当りの決定時（大当り判定が肯定となった場合）、取得した特図振分用乱数に基づき大当り図柄を決定する。この特図振分用乱数は、予め定められた数値範囲内（本実施形態では、「０」〜「９９」の全１００通りの整数）の数値を取り得るように、主制御用ＣＰＵ３５ａが所定の周期毎（２ｍｓ毎）に数値を１加算して更新するようになっている。そして、主制御用ＣＰＵ３５ａは、更新後の値を特図振分用乱数の値として主制御用ＲＡＭ３５ｃに記憶し、既に記憶されている特図振分用乱数の値を書き換えることで特図振分用乱数の値を順次更新するようになっている。本実施形態において、特図振分用乱数は、各始動入賞口２５，２６へ遊技球が入賞したことを契機に取得されるようになっている。
【００７１】
また、主制御用ＲＯＭ３５ｂには、リーチ判定値が記憶されている。リーチ判定値は、はずれを決定する場合にはずれリーチ演出を実行するか否かの内部抽選（リーチ判定）で用いる判定値であり、リーチ判定用乱数の取り得る数値（０〜２４０までの全２４１通りの整数）の中から定められている。また、主制御用ＲＡＭ３５ｃには、リーチ判定時に使用するリーチ判定用乱数が記憶されている。本実施形態において、リーチ判定用乱数は、リーチ判定時に取得されるようになっている。
【００７２】
また、主制御用ＲＯＭ３５ｂには、普図当り判定値が記憶されている。普図当り判定値は、普図当りか否かの内部抽選（普図当り抽選）で用いる判定値であり、普図当り判定用乱数の取り得る数値（０〜１０６までの全１０７通りの整数）の中から定められている。なお、普図当り判定値は、変短状態が付与されているか否かでその数が異なっており、変短状態が付与されている時の普図当り判定値の数（本実施形態では１０６個）は、変短状態が付与されていない時の普図当り判定値の数（本実施形態では２個）よりも多く設定されている。また、主制御用ＲＡＭ３５ｃには、普図当り判定時に使用する普図当り判定用乱数が記憶されている。本実施形態において、普図当り判定用乱数は、普通図柄作動ゲート３０を遊技球が通過したことを契機に取得されるようになっている。
【００７３】
次に、サブ統括制御基板３６について説明する。
サブ統括制御基板３６には、制御動作を所定の手順で実行することができる統括制御用ＣＰＵ３６ａと、統括制御用ＣＰＵ３６ａの統括制御プログラムを格納する統括制御用ＲＯＭ３６ｂと、必要なデータの書き込み及び読み出しができる統括制御用ＲＡＭ３６ｃが設けられている。統括制御用ＣＰＵ３６ａには、統括制御用ＲＯＭ３６ｂと統括制御用ＲＡＭ３６ｃが接続されている。そして、統括制御用ＣＰＵ３６ａはタイマ機能を搭載しており、所定のタイミング（例えば、図柄変動ゲームを開始するタイミング）で時間を計測する。
【００７４】
次に、演出表示制御基板３７について説明する。
演出表示制御基板３７には、制御動作を所定の手順で実行することができる表示制御用ＣＰＵ３７ａと、表示制御用ＣＰＵ３７ａの表示制御プログラムを格納する表示制御用ＲＯＭ３７ｂと、必要なデータの書き込み及び読み出しができる表示制御用ＲＡＭ３７ｃが設けられている。表示制御用ＣＰＵ３７ａには、演出表示装置２２が接続されている。また、本実施形態の表示制御用ＣＰＵ３７ａはタイマ機能を搭載しており、所定のタイミング（例えば、図柄変動ゲームを開始するタイミング）で時間を計測する。また、表示制御用ＲＯＭ３７ｂには、各種の画像データ（図柄、背景、文字、キャラクタなどの画像データ）が記憶されている。
【００７５】
以下、主制御基板３５、サブ統括制御基板３６及び演出表示制御基板３７が実行する制御内容を説明する。
最初に、主制御基板３５について説明する。本実施形態では、メイン制御プログラムに基づき以下の各種処理を実行する主制御用ＣＰＵ３５ａが、リーチ内容決定手段として機能する。
【００７６】
まず、図柄変動ゲームの制御に係る処理について説明する。
主制御基板３５の主制御用ＣＰＵ３５ａは、上始動入賞口２５又は下始動入賞口２６へ遊技球が入球し、該遊技球を検知した始動口スイッチＳＷ１，ＳＷ２が出力する検知信号を入力すると、主制御用ＲＡＭ３５ｃに記憶されている特別図柄用の保留記憶数が上限数（本実施形態では４）未満であるか否かの保留判定を行う。保留判定の判定結果が肯定（特別図柄用の保留記憶数＜４）の場合、主制御用ＣＰＵ３５ａは、特別図柄用の保留記憶数を１加算（＋１）し、特別図柄用の保留記憶数を書き換える。また、主制御用ＣＰＵ３５ａは、特別図柄用の保留記憶数の書き換えに伴って該書き換え後の前記保留記憶数に対応する数の保留ランプを点灯させる。例えば、主制御用ＣＰＵ３５ａは、書き換え後の特別図柄用の保留記憶数が「３」の場合、３つの保留ランプを点灯させる。また、主制御用ＣＰＵ３５ａは、保留判定を肯定判定している場合、特別図柄用の当り判定用乱数の値と特図振分用乱数の値を主制御用ＲＡＭ３５ｃから取得し、その値を特別図柄用の保留記憶数に対応付けて主制御用ＲＡＭ３５ｃの所定の記憶領域に格納する。なお、主制御用ＣＰＵ３５ａは、保留判定の判定結果が否定（保留記憶数＝４）の場合、上限数を超える特別図柄用の保留記憶数の書き換えを行わないとともに、特別図柄用の当り判定用乱数の値と特図振分用乱数の値も取得しない。
【００７７】
そして、主制御用ＣＰＵ３５ａは、図柄（特別図柄及び飾り図柄）が変動表示中ではなく、大当り遊技中ではないときに、特別図柄用の保留記憶数が「０」よりも大きいか否か判定する。そして、この判定結果が肯定の場合、主制御用ＣＰＵ３５ａは、特別図柄用の保留記憶数を１減算（−１）し、特別図柄用の保留記憶数を書き換える。そして、主制御用ＣＰＵ３５ａは、特別図柄用の保留記憶数に対応付けられて主制御用ＲＡＭ３５ｃの所定の記憶領域に格納した特別図柄用の当り判定用乱数の値を読み出し、該値と主制御用ＲＯＭ３５ｂに記憶されている大当り判定値とを比較し、大当りか否かの大当り判定（大当り抽選）を行う。なお、大当り判定において主制御用ＣＰＵ３５ａは、遊技状態が非確変状態（当選確率が低確）である場合には、低確率用の大当り判定値と特別図柄用の当り判定用乱数の値を比較し、遊技状態が確変状態（当選確率が高確）である場合には、高確率用の大当り判定値と特別図柄用の当り判定用乱数の値を比較する。大当り判定の判定結果が肯定（特別図柄用の当り判定用乱数の値と大当り判定値とが一致）の場合、主制御用ＣＰＵ３５ａは、大当りを決定する。大当りを決定した主制御用ＣＰＵ３５ａは、主制御用ＲＡＭ３５ｃの所定の記憶領域に格納した特図振分用乱数の値を読み出し、該値に基づいて特別図柄表示装置２３で行われる図柄変動ゲームで確定停止表示させる特別図柄として大当り図柄を決定する。特別図柄の大当り図柄は、前述したように大当り遊技の種類毎に設定されていることから、大当り図柄を決定することによって遊技者に付与する大当り遊技の種類を決定したことになる。また、大当りを決定した主制御用ＣＰＵ３５ａは、変動パターン振分用乱数の値を主制御用ＲＡＭ３５ｃから取得し、その取得した値をもとに変動パターンを選択し、決定する。
【００７８】
また、主制御用ＣＰＵ３５ａは、大当り判定の判定結果が否定（特別図柄用の当り判定用乱数の値と大当り判定値とが不一致）の場合、特別図柄用の当り判定用乱数の値と主制御用ＲＯＭ３５ｂに記憶されている小当り判定値を比較して、小当りか否かの小当り判定（小当り抽選）を行う。小当り判定の判定結果が肯定（特別図柄用の当り判定用乱数の値と小当り判定値とが一致）の場合、主制御用ＣＰＵ３５ａは、小当りを決定する。小当りを決定した主制御用ＣＰＵ３５ａは、特別図柄表示装置２３で行われる図柄変動ゲームで確定停止表示させる特別図柄として小当り図柄を決定する。また、小当りを決定した主制御用ＣＰＵ３５ａは、変動パターン振分用乱数の値を主制御用ＲＡＭ３５ｃから取得し、その取得した値をもとに、小当りの当選時に選択可能な変動パターンの中から一つの変動パターンを選択し、決定する。
【００７９】
また、主制御用ＣＰＵ３５ａは、小当り判定の判定結果が否定（特別図柄の当り判定用乱数の値と小当り判定値とが不一致）の場合、はずれを決定する。そして、主制御用ＣＰＵ３５ａは、特別図柄表示装置２３で行われる図柄変動ゲームで確定停止表示させる特別図柄としてはずれ図柄を決定する。また、はずれを決定した主制御用ＣＰＵ３５ａは、リーチ判定用乱数の値を主制御用ＲＡＭ３５ｃから取得し、その取得した値と主制御用ＲＯＭ３５ｂに記憶されているリーチ判定値とを比較し、はずれリーチ演出を実行するか否かを決定するリーチ判定を実行する。
【００８０】
そして、リーチ判定の判定結果が肯定（はずれリーチ演出を実行する）の場合、主制御用ＣＰＵ３５ａは、変動パターン振分用乱数の値を主制御用ＲＡＭ３５ｃから取得し、その取得した値をもとに、はずれリーチ演出用の変動パターンを選択し、決定する。一方、リーチ判定結果が否定（はずれリーチ演出を実行しない）の場合、主制御用ＣＰＵ３５ａは、変動パターン振分用乱数の値を主制御用ＲＡＭ３５ｃから取得し、その取得した値をもとに、はずれ演出用の変動パターンを選択し、決定する。
【００８１】
特別図柄及び変動パターンを決定した主制御用ＣＰＵ３５ａは、所定の制御コマンドを生成し、その生成した制御コマンドを所定のタイミングでサブ統括制御基板３６（統括制御用ＣＰＵ３６ａ）に出力する。具体的に言えば、主制御用ＣＰＵ３５ａは、変動パターンを指示するとともに図柄変動ゲームの開始を指示する変動パターン指定コマンドを生成し、該変動パターン指定コマンドを図柄変動ゲームの開始に際して最初に出力する。また、主制御用ＣＰＵ３５ａは、特別図柄を指示する特別図柄用の停止図柄指定コマンドを生成し、該停止図柄指定コマンドを変動パターン指定コマンドの出力後、次に出力する。そして、主制御用ＣＰＵ３５ａは、指示した変動パターンに定められている変動時間の経過時に図柄変動ゲームの終了（図柄の確定停止）を指示する図柄停止コマンドを生成し、該図柄停止コマンドを前記変動時間の経過に伴って出力する。
【００８２】
また、主制御用ＣＰＵ３５ａは、図柄変動ゲームの開始に伴って特別図柄表示装置２３の表示内容を制御する。すなわち、主制御用ＣＰＵ３５ａは、図柄変動ゲームの開始により特別図柄の変動を開始させ、決定した変動パターンに定められている変動時間の経過時に決定した特別図柄（当り図柄又ははずれ図柄）を確定停止表示させる。
【００８３】
また、各大当り遊技を終了させた主制御用ＣＰＵ３５ａは、大当り遊技終了後に確変状態を付与するか否かの状態移行判定の判定結果に基づき、前記判定結果が肯定の場合には確変状態を付与し、前記判定結果が否定の場合には確変状態を付与しない。本実施形態では、確変１５Ｒ大当り遊技及び確変２Ｒ大当り遊技に当選している場合、前記状態移行判定が肯定判定される。そして、主制御用ＣＰＵ３５ａは、大当り遊技の終了後、遊技状態を確変状態とする場合には、確変状態を付与することを示す確変フラグに「１」を設定するとともに、確変状態を付与することを示す確変コマンドを出力する。また、主制御用ＣＰＵ３５ａは、大当り遊技の終了後に非確変状態を付与する場合、確変フラグに「０」を設定する。この場合、主制御用ＣＰＵ３５ａは、非確変状態を付与することを示す非確変コマンドを出力する。同様に、主制御用ＣＰＵ３５ａは、大当り遊技の終了後に変短状態を付与する場合、変短状態を付与することを示す作動フラグに「１」を設定する。この場合、主制御用ＣＰＵ３５ａは、変短状態を付与することを示す変短コマンドを出力する。なお、非確変１５Ｒ大当り遊技に当選している場合、主制御用ＣＰＵ３５ａは、作動回数に１００回を設定し、図柄変動ゲームが実行される毎に作動回数を１減算し、作動回数が「０（零）」になると、変短状態を終了させる。また、主制御用ＣＰＵ３５ａは、大当り遊技の終了後に非変短状態を付与する場合、作動フラグに「０」を設定する。この場合、主制御用ＣＰＵ３５ａは、非変短状態を付与することを示す非変短コマンドを出力する。
【００８４】
一方、小当り遊技の場合、小当り当選時の遊技状態が維持されることから、主制御用ＣＰＵ３５ａは、小当り遊技中も小当り当選時の遊技状態で制御し、かつ小当り遊技終了後には遊技状態を指定するコマンドを出力しない。すなわち、主制御用ＣＰＵ３５ａは、小当り遊技に当選した場合、確変状態を付与するか否かの状態移行判定を行わない。
【００８５】
また、確変フラグ及び作動フラグは、大当り遊技が付与された場合にクリアされる（「０」が設定される）ようになっている。この場合、主制御用ＣＰＵ３５ａは、大当りが生起された場合、大当り遊技の開始に伴って確変状態を終了させる。また、確変フラグ及び作動フラグは、主制御用ＲＡＭ３５ｃの所定の記憶領域に記憶されるようになっている。これら確変コマンド、非確変コマンド、変短コマンド、非変短コマンドにより、統括制御用ＣＰＵ３６ａは、現在、確変状態であるか非確変状態であるか、又は変短状態であるか非変短状態であるかを把握することができる。
【００８６】
次に、サブ統括制御基板３６の統括制御用ＣＰＵ３６ａが統括制御プログラムに基づき実行する各種処理について説明する。
まず、図柄変動ゲームに係る処理について説明する。
【００８７】
サブ統括制御基板３６の統括制御用ＣＰＵ３６ａは、変動パターン指定コマンドを入力すると、該コマンドを演出表示制御基板３７、音声・ランプ制御基板３８に出力する。また、統括制御用ＣＰＵ３６ａは、特別図柄用の停止図柄指定コマンドを入力すると、該コマンドに対応する特別図柄の停止図柄指定に応じて演出表示装置２２に確定停止表示させる飾り図柄を決定し、決定した飾り図柄を指示する飾り図柄用の停止図柄指定コマンドを演出表示制御基板３７に出力する。また、統括制御用ＣＰＵ３６ａは、図柄停止コマンドを入力すると、該コマンドを演出表示制御基板３７、音声・ランプ制御基板３８に出力する。
【００８８】
また、統括制御用ＣＰＵ３６ａは、確変コマンドや変短コマンドを入力すると、確変状態や変短状態が付与されたことを示す情報（フラグなど）を統括制御用ＲＡＭ３６ｃに設定する。そして、統括制御用ＣＰＵ３６ａは、確変コマンドを入力すると確変状態が付与されることを統括制御用ＲＡＭ３６ｃに設定し、非確変コマンドを入力すると非確変状態が付与されることを統括制御用ＲＡＭ３６ｃに設定する。また、統括制御用ＣＰＵ３６ａは、変短コマンドを入力すると変短状態が付与されていることを統括制御用ＲＡＭ３６ｃに設定し、非変短コマンドを入力すると非変短状態が付与されていることを統括制御用ＲＡＭ３６ｃに設定する。そして、統括制御用ＣＰＵ３６ａは、確変コマンド、非確変コマンド、変短コマンド、及び非変短コマンドを入力するまで現在の設定内容を統括制御用ＲＡＭ３６ｃに記憶維持させる。統括制御用ＣＰＵ３６ａは、統括制御用ＲＡＭ３６ｃの前記設定内容によって、パチンコ遊技機１０の遊技状態が確変状態であるか否か、変短状態であるか否かを把握している。また、統括制御用ＣＰＵ３６ａは、確変コマンド、非確変コマンド、変短コマンド及び非変短コマンドのこれらコマンドを入力すると、それぞれのコマンドを各制御基板３７，３８にそれぞれ出力する。
【００８９】
また、統括制御用ＣＰＵ３６ａは、変動パターン指定コマンド及び特別図柄用の停止図柄指定コマンドを入力すると、変動パターン指定コマンドにより指定された変動パターン及び特別図柄用の停止図柄指定コマンドにより指定された最終停止図柄（特別図柄）に基づき、演出表示装置２２に表示させる飾り図柄による図柄組み合わせを決定する。
【００９０】
統括制御用ＣＰＵ３６ａは、特別図柄用の停止図柄指定コマンドで指定された停止図柄（特別図柄）が、大当り図柄の場合、飾り図柄の図柄組み合わせとして、大当りを認識し得る図柄組み合わせを決定する。
【００９１】
具体的に言えば、統括制御用ＣＰＵ３６ａは、停止図柄（特別図柄）が確変１５Ｒ大当り遊技となる図柄の場合、確定停止表示させる飾り図柄として、確変確定の大当り図柄を決定する。また、統括制御用ＣＰＵ３６ａは、停止図柄（特別図柄）が非確変１５Ｒ大当り遊技となる図柄の場合、確定停止表示させる飾り図柄として、非確変確定の大当り図柄を決定する。
【００９２】
また、統括制御用ＣＰＵ３６ａは、停止図柄（特別図柄）が確変２Ｒ大当り遊技となる図柄の場合、飾り図柄の図柄組み合わせとして、確変示唆の図柄組み合わせを決定する。また、統括制御用ＣＰＵ３６ａは、停止図柄（特別図柄）が小当り図柄の場合、確変２Ｒ大当り遊技と同様、確変示唆の図柄組み合わせを決定する。
【００９３】
また、統括制御用ＣＰＵ３６ａは、停止図柄（特別図柄）が、はずれ図柄の場合、はずれを認識し得る図柄組み合わせを決定する。このとき、統括制御用ＣＰＵ３６ａは、はずれリーチ演出用の変動パターンが指示されている場合、リーチの図柄組み合わせ（リーチ形成図柄）を含むはずれを認識し得る図柄組み合わせを決定する。一方、統括制御用ＣＰＵ３６ａは、はずれ演出用の変動パターンが指示されている場合、リーチの図柄組み合わせ（リーチ形成図柄）を含まないはずれを認識し得る図柄組み合わせを決定する。
【００９４】
なお、統括制御用ＣＰＵ３６ａは、変動パターンＰ４〜Ｐ７のうちいずれかを指定する変動パターン指定コマンドを入力した場合、入力したコマンドで指定されるリーチライン上に導出する飾り図柄の図柄組み合わせを決定する。本実施形態では、各列において図柄の表示順序が予め設定されているので、１つのリーチライン上に導出する図柄組み合わせを決定すれば、その他のリーチライン上に表示される図柄も、各列の図柄の表示順序にしたがって必然的に決定されることになる。そして、統括制御用ＣＰＵ３６ａは、変動パターン指定コマンドで指定されるリーチライン上に確定停止表示させる飾り図柄の図柄組み合わせに基づいて、リーチライン増加前のリーチ形成図柄を決定する。また、以下の説明では、決定した図柄組み合わせを視覚化した際、表示領域全体における見た目上の図柄組み合わせパターンを、表示パターンと示す場合がある。なお、本実施形態における表示パターンとは、リーチラインの本数、図柄組み合わせを停止表示させるリーチラインの位置、及び飾り図柄をパターン化して記憶しているものを示しているのではない。
【００９５】
そして、統括制御用ＣＰＵ３６ａは、決定した飾り図柄を指定する飾り図柄用の停止図柄指定コマンドを統括制御用ＲＡＭ３６ｃの所定のワークエリアに記憶する。また、統括制御用ＣＰＵ３６ａは、決定した飾り図柄による図柄組み合わせを確定停止表示させるように、飾り図柄を指示する飾り図柄用の停止図柄指定コマンドを生成し、当該コマンドを演出表示制御基板３７に出力する。
【００９６】
次に、演出モードに係る制御内容を説明する。
統括制御用ＣＰＵ３６ａは、主制御用ＣＰＵ３５ａが出力する特別図柄用の停止図柄指定コマンドで指示された大当り図柄の種類と、確変状態の有無、及び変短状態の作動／非作動（終了）に係る各指定コマンドと、演出モードフラグの設定値をもとに、演出モードの移行態様を制御する。演出モードフラグは、現在滞在している演出モードを識別可能な情報で構成されており、統括制御用ＲＡＭ３６ｃに設定される。統括制御用ＣＰＵ３６ａは、演出モードフラグを設定すると、滞在中の演出モードを指示するモード指定コマンドを演出表示制御基板３７及び音声・ランプ制御基板３８に出力する。
【００９７】
統括制御用ＣＰＵ３６ａは、「通常モード」、「高確示唆モード」及び「変短モード」の何れかに滞在中、図柄ａ（確変１５Ｒ大当り遊技）を指示する特別図柄用の停止図柄指定コマンドを入力すると、大当り遊技終了後の演出モードを「変短モード」に設定し、移行させる。一方、統括制御用ＣＰＵ３６ａは、「通常モード」、「高確示唆モード」及び「変短モード」の何れかの滞在中、図柄ｂ（非確変１５Ｒ大当り遊技）を指示する特別図柄用の停止図柄指定コマンドを入力すると、大当り遊技終了後の演出モードを「変短モード」に設定し、移行させる。また、統括制御用ＣＰＵ３６ａは、「通常モード」及び「高確示唆モード」のいずれかに滞在中、図柄ｃ（確変２Ｒ大当り遊技）又は図柄ｄ（小当り遊技）を指示する特別図柄用の停止図柄指定コマンドを入力すると、大当り遊技終了後の演出モードを「高確示唆モード」に設定し、移行させる。また、統括制御用ＣＰＵ３６ａは、「変短モード」に滞在中、図柄ｃ（確変２Ｒ大当り遊技）又は図柄ｄ（小当り遊技）を指示する特別図柄用の停止図柄指定コマンドを入力すると、大当り遊技終了後の演出モードを「変短モード」に設定し、移行させる。本実施形態では、統括制御用ＣＰＵ３６ａが、演出モード決定手段として機能する。
【００９８】
次に、演出表示制御基板３７の表示制御用ＣＰＵ３７ａが表示制御プログラムに基づき実行する各種処理について説明する。本実施形態では、表示制御プログラムに基づき以下の各種処理を実行する表示制御用ＣＰＵ３７ａが、演出制御手段として機能する。
【００９９】
まず、図柄変動ゲームに係る処理について説明する。
演出表示制御基板３７の表示制御用ＣＰＵ３７ａは、変動パターン指定コマンドを入力すると、当該コマンドに指示される変動パターンに対応する演出内容（変動内容）を選択し、該演出内容で図柄変動ゲームを行わせるように演出表示装置２２の表示内容を制御する。そして、表示制御用ＣＰＵ３７ａは、図柄変動ゲーム中に図柄停止コマンドを入力すると、飾り図柄用の停止図柄指定コマンドで指示された飾り図柄を演出表示装置２２に確定停止表示させるように表示内容を制御し、図柄変動ゲームを終了させる。そして、表示制御用ＣＰＵ３７ａは、図柄変動ゲームの開始からの経過時間を計時し、その計時した時間と表示用データをもとに演出表示装置２２に映し出す画像を所定の制御周期毎（例えば、４ｍｓ毎）に切り替える。
【０１００】
次に、統括制御用ＣＰＵ３６ａが実行するミッション演出に係る制御内容を説明する。
本実施形態においてミッション演出は、高確示唆モード中に実行されるようになっている。そして、本実施形態では、「「○（０〜９の図柄）」でリーチをかけろ！！」などのリーチ形成演出を提示する複数種類のミッション演出が用意されている。本実施形態では、飾り図柄として［０（零）］〜［９］までの１０種類の飾り図柄が用いられている。このため、リーチ形成演出で提示する内容（以下、課題図柄と示す場合がある）として、１０種類の飾り図柄のうち１種類の飾り図柄でリーチが形成されることに伴って、「「１」でリーチをかけろ！！」などの１０種類が用意されている。そして、ミッション演出で提示される課題図柄は、複数回の図柄変動ゲームを対象に展開され、ミッション演出の終了契機が到来するまでの間、原則的に同じ内容のミッション（課題）を提示するようになっている。
【０１０１】
そして、統括制御用ＣＰＵ３６ａは、高確示唆モードの開始に伴うミッション演出を開始させる場合、課題図柄を１０種類の中から抽選によって決定する。そして、統括制御用ＣＰＵ３６ａは、高確示唆モードの開始契機となる図柄変動ゲームの終了に伴って、決定したミッション（課題）によるミッション演出の開始を指示する演出指示コマンドを統括制御用ＲＡＭ３６ｃにおけるワークエリアに記憶する。また、統括制御用ＣＰＵ３６ａは、決定したミッションによるミッション演出の開始を指示する演出指示コマンドを各制御基板３７，３８に出力する。本実施形態では、統括制御用ＣＰＵ３６ａが、課題決定手段として機能する。
【０１０２】
また、統括制御用ＣＰＵ３６ａは、大当り抽選に当選している場合、大当り抽選に当選していない場合に比して、課題図柄と合致するリーチ形成図柄を導出させる割合が高くなるように図柄組み合わせを決定するようになっている。ただし、統括制御用ＣＰＵ３６ａは、大当り抽選に当選している場合、大当り遊技の種類に応じてリーチ形成図柄を決定する。例えば、統括制御用ＣＰＵ３６ａは、課題図柄として［３］が提示されているときに非確変１５Ｒ大当り遊技に当選したとしても、確変確定図柄をリーチ形成図柄として決定することはできないので、課題図柄とリーチ形成図柄が一致しないように図柄を決定することになる。一方、統括制御用ＣＰＵ３６ａは、課題図柄として［３］が提示されているときに確変１５Ｒ大当り遊技に当選した場合、課題図柄とリーチ図柄が一致する確率が高くなるように図柄を決定する。なお、統括制御用ＣＰＵ３６ａは、課題図柄とリーチ図柄を同一図柄としなかった場合、リーチ図柄として［１］［５］［７］［９］のうちいずれか１つを決定する。これにより、ミッションを達成した場合には、確変１５Ｒ大当り遊技又は非確変１５Ｒ大当り遊技に当選していることが遊技者に報知されることになる。
【０１０３】
また、統括制御用ＣＰＵ３６ａは、高確示唆モードに移行してから実行された図柄変動ゲームの回数をカウントし、当該回数が予め定めた回数（本実施形態では１０回）に達すると、以後（１０回目以後）の図柄変動ゲームの開始毎に終了抽選を実行する。そして、統括制御用ＣＰＵ３６ａは、当該終了抽選において「終了」を決定した場合、通常モードへの移行を決定する一方、当該終了抽選において「継続」を決定した場合、高確示唆モードの継続を決定する。
【０１０４】
また、高確示唆モード滞在中に確変２Ｒ大当り遊技又は小当り遊技に当選した場合、統括制御用ＣＰＵ３６ａは、カウント回数をリセットし、再度、高確示唆モードへの移行を決定する。
【０１０５】
次に、本実施形態において、リーチライン増加後のリーチ形成図柄の中にリーチライン増加前に提示された課題図柄と同一の図柄を含まないようにする制御内容について図７に従って説明する。なお、以下の説明では、リーチライン増加後のリーチ形成図柄を「増加後リーチ図柄」と示し、リーチライン増加前のリーチ形成図柄を「増加前リーチ図柄」と示す。また、本実施形態では、「増加後リーチ図柄」が、「リーチライン増加時に導出するリーチ形成図柄」となる。また、本実施形態では、図７に示す図柄決定処理を実行する統括制御用ＣＰＵ３６ａが、演出制御手段、規制手段として機能する。
【０１０６】
サブ統括制御基板３６の統括制御用ＣＰＵ３６ａは、ミッション演出の実行中に、リーチラインの本数を増加させる変動パターンＰ７を指定する変動パターン指定コマンドを入力した場合、確定停止表示させる飾り図柄の図柄組み合わせに基づいて、増加前リーチ図柄を決定する。そして、増加前リーチ図柄を決定するに際し、統括制御用ＣＰＵ３６ａは、統括制御用ＲＡＭ３６ｃの所定のワークエリアに記憶した課題図柄の種類を読み出し、当該種類を確認する（ステップＳ１０）。そして、統括制御用ＣＰＵ３６ａは、リーチラインを増加させた場合に課題図柄と同一の図柄を含むパターンを確認する。例えば、課題図柄として［１］が提示されているときに、増加前リーチ図柄として［１］を選択した場合、増加後リーチ図柄は、［１］［２］［３］となる。この場合、増加後リーチ図柄の中に課題図柄と同一の図柄（［１］）が含まれることになる。同様に、課題図柄として［１］が提示されているときに、増加前リーチ図柄として［０］を選択した場合、増加後リーチ図柄は、［０］［１］［２］となる。この場合、増加後リーチ図柄の中に課題図柄と同一の図柄（［１］）が含まれることになる。同様に、課題図柄として［１］が提示されているときに、増加前リーチ図柄として［９］を選択した場合、増加後リーチ図柄は、［９］［０］［１］となる。この場合、増加後リーチ図柄の中に課題図柄と同一の図柄（［１］）が含まれることになる。
【０１０７】
前述したように、左列は、…９→８→７→６→５→４→３→２→１→０（零）→９…というように順番に数字が小さくなっていき、０（零）となった場合には９に戻るような順番で変動するようになっている。これにより、増加後リーチ図柄の中に課題図柄と同一の図柄を含む態様を展開する増加前リーチ図柄は、課題図柄と同一図柄、課題図柄よりも表示順序が１つ前の図柄、及び課題図柄よりも表示順序が２つ前の図柄となる。
【０１０８】
そして、左列では、前述したような並びで図柄が変動表示されるため、統括制御用ＣＰＵ３６ａは、どの図柄を増加前リーチ図柄として決定すると、増加後リーチ図柄の中に課題図柄と同一の図柄を含んでしまうかということを必然的に把握することができる。これにより、統括制御用ＣＰＵ３６ａは、増加前リーチ図柄を決定するに際し、課題図柄の種類に基づき、課題図柄と同一の図柄、課題図柄よりも表示順序が１つ前の図柄、及び課題図柄よりも表示順序が２つ前の図柄を除く図柄の中から増加前リーチ図柄を決定する（ステップＳ１１）。例えば、課題図柄が［１］の場合、左列において、課題図柄よりも表示順序が１つ前の図柄は、［０］となる一方、課題図柄よりも表示順序が２つ前の図柄は、［９］となる。また、ステップＳ１１では、表示順序が１つ前の図柄を−１と示し、表示順序が２つ前の図柄を−２と示している。そして、統括制御用ＣＰＵ３６ａは、決定した飾り図柄用の停止図柄指定コマンドを統括制御用ＲＡＭ３６ｃにおける所定のワークエリアにセットした後、図柄決定処理を終了する。
【０１０９】
一方、統括制御用ＣＰＵ３６ａは、ミッション演出の実行中に、リーチラインの本数を増加させる変動パターンＰ４〜Ｐ６のうちいずれかを指定する変動パターン指定コマンドを入力した場合、以下のように増加前リーチ図柄を決定する。例えば、統括制御用ＣＰＵ３６ａは、ミッション演出を伴う図柄変動ゲームにおいて確変１５Ｒ大当り遊技に当選するとともに変動パターンＰ５が選択された場合、統括制御用ＲＡＭ３６ｃにおける所定のワークエリアに記憶した課題図柄の種類を読み出して確認する。このとき、課題図柄として［３］が提示されているとすると、統括制御用ＣＰＵ３６ａは、リーチラインＬＢ上に［３３３］で示す大当りの図柄組み合わせを確定停止表示させることを高確率で決定する。したがって、統括制御用ＣＰＵ３６ａは、リーチラインＬＢ上に［３３３］で示す大当りの図柄組み合わせを確定停止表示させることを決定した場合、増加前リーチ図柄として［２］を決定することになる。また、課題図柄として［３］が提示されているときにリーチラインＬＢ上に確定停止表示させる大当りの図柄組み合わせとして、［１１１］［５５５］［７７７］［９９９］を決定した場合、増加前リーチ図柄として、決定した図柄組み合わせよりも表示順序が１つ前に設定された非確変確定図柄を決定することになる。
【０１１０】
また、統括制御用ＣＰＵ３６ａは、ミッション演出（課題図柄が確変確定図柄）を伴う図柄変動ゲームにおいて確変１５Ｒ大当り遊技に当選するとともに変動パターンＰ４が選択された場合、リーチラインＬＡ上に確定停止表示させる図柄組み合わせとして、確変確定の大当り図柄を決定する。したがって、統括制御用ＣＰＵ３６ａは、増加前リーチ図柄として、確定停止表示させる確変確定図柄と同一の図柄を決定することになる。一方、統括制御用ＣＰＵ３６ａは、ミッション演出（課題図柄が確変確定図柄）を伴う図柄変動ゲームにおいて確変１５Ｒ大当り遊技に当選するとともに変動パターンＰ６が選択された場合、リーチラインＬＣ上に確定停止表示させる図柄組み合わせとして、確変確定の大当り図柄を決定する。したがって、統括制御用ＣＰＵ３６ａは、増加前リーチ図柄として、確定停止表示させる確変確定図柄よりも表示順序が２つ前に設定された確変確定図柄を決定することになる。
【０１１１】
一方、ミッション演出を伴う図柄変動ゲームにおいて非確変１５Ｒ大当り遊技に当選するとともに変動パターンＰ５が選択され、さらに、課題図柄として［３］が提示されているとする。この場合、リーチ形成図柄として［３］を決定することはできないので、必然的にリーチラインＬＢ上に［４４４］の図柄組み合わせを確定停止表示させることができなくなる。したがって、統括制御用ＣＰＵ３６ａは、リーチラインＬＢ上に［０００］［２２２］［６６６］［８８８］のうちいずれか１つの図柄組み合わせを確定停止表示させることを決定する。そして、統括制御用ＣＰＵ３６ａは、リーチラインＬＢ上に導出する大当りの図柄組み合わせ（例えば、［２２２］）にしたがって、増加前リーチ図柄を決定する。このとき、統括制御用ＣＰＵ３６ａは、増加前リーチ図柄として［１］を必然的に決定するので、増加後リーチ図柄は、［１］と［２］と［３］となる。この場合、増加後リーチ図柄の中に課題図柄と同一の図柄（［３］）が含まれることになるが、大当り遊技が付与されることに違いはない。したがって、統括制御用ＣＰＵ３６ａは、課題図柄として確変確定図柄が提示されている場合に非確変１５Ｒ大当り遊技に当選したとき、増加後リーチ図柄の中に課題図柄と同一の図柄を含む組み合わせも決定し得る。
【０１１２】
また、統括制御用ＣＰＵ３６ａは、ミッション演出（課題図柄が確変確定図柄）を伴う図柄変動ゲームにおいて非確変１５Ｒ大当り遊技に当選するとともに変動パターンＰ４が選択された場合、リーチラインＬＡ上に確定停止表示させる図柄組み合わせとして、非確変確定の大当り図柄を決定する。したがって、統括制御用ＣＰＵ３６ａは、増加前リーチ図柄として、確定停止表示させる非確変確定図柄と同一の図柄を決定することになる。一方、統括制御用ＣＰＵ３６ａは、ミッション演出（課題図柄が確変確定図柄）を伴う図柄変動ゲームにおいて非確変１５Ｒ大当り遊技に当選するとともに変動パターンＰ６が選択された場合、リーチラインＬＣ上に確定停止表示させる図柄組み合わせとして、非確変確定の大当り図柄を決定する。したがって、統括制御用ＣＰＵ３６ａは、増加前リーチ図柄として、確定停止表示させる非確変確定図柄よりも表示順序が２つ前に設定された非確変確定図柄を決定することになる。
【０１１３】
また、ミッション演出を伴う図柄変動ゲームにおいて確変１５Ｒ大当り遊技に当選するとともに変動パターンＰ５が選択され、さらに課題図柄として［４］が提示されているとする。この場合、統括制御用ＣＰＵ３６ａは、リーチラインＬＢ上に［１１１］［３３３］［５５５］［７７７］［９９９］のうちいずれか１つの図柄組み合わせを確定停止表示させることを決定する。そして、統括制御用ＣＰＵ３６ａは、リーチラインＬＢ上に導出する大当りの図柄組み合わせ（例えば、［５５５］）にしたがって、増加前リーチ図柄を決定する。このとき、統括制御用ＣＰＵ３６ａは、増加前リーチ図柄として［４］を必然的に決定するので、増加後リーチ図柄は、［４］と［５］と［６］となる。この場合、増加後リーチ図柄の中に課題図柄と同一の図柄（［４］）が含まれることになるが、大当り遊技が付与されることに違いはない。したがって、統括制御用ＣＰＵ３６ａは、課題図柄として非確変確定図柄が提示されている場合に確変１５Ｒ大当り遊技に当選したとき、増加後リーチ図柄の中に課題図柄と同一の図柄を含む組み合わせも決定し得る。
【０１１４】
また、統括制御用ＣＰＵ３６ａは、ミッション演出（課題図柄が非確変確定図柄）を伴う図柄変動ゲームにおいて確変１５Ｒ大当り遊技に当選するとともに変動パターンＰ４が選択された場合、リーチラインＬＡ上に確定停止表示させる図柄組み合わせとして、確変確定の大当り図柄を決定する。したがって、統括制御用ＣＰＵ３６ａは、増加前リーチ図柄として、確定停止表示させる確変確定図柄と同一の図柄を決定することになる。一方、統括制御用ＣＰＵ３６ａは、ミッション演出（課題図柄が非確変確定図柄）を伴う図柄変動ゲームにおいて確変１５Ｒ大当り遊技に当選するとともに変動パターンＰ６が選択された場合、リーチラインＬＣ上に確定停止表示させる図柄組み合わせとして、確変確定の大当り図柄を決定する。したがって、統括制御用ＣＰＵ３６ａは、増加前リーチ図柄として、確定停止表示させる確変確定図柄よりも表示順序が２つ前に設定された確変確定図柄を決定することになる。
【０１１５】
また、ミッション演出を伴う図柄変動ゲームにおいて非確変１５Ｒ大当り遊技に当選するとともに変動パターンＰ５が選択され、さらに課題図柄として［４］が提示されているとする。この場合、統括制御用ＣＰＵ３６ａは、リーチラインＬＢ上に［４４４］で示す大当りの図柄組み合わせを確定停止表示させることを高確率で決定する。したがって、統括制御用ＣＰＵ３６ａは、リーチラインＬＢ上に［４４４］で示す大当りの図柄組み合わせを確定停止表示させることを決定した場合、増加前リーチ図柄として［３］を決定することになる。また、課題図柄として［４］が提示されているときにリーチラインＬＢ上に確定停止表示させる大当りの図柄組み合わせとして、［０００］［２２２］［６６６］［８８８］を決定した場合、増加前リーチ図柄として、決定した図柄組み合わせよりも表示順序が１つ前に設定された確変確定図柄を決定することになる。
【０１１６】
また、統括制御用ＣＰＵ３６ａは、ミッション演出（課題図柄が非確変確定図柄）を伴う図柄変動ゲームにおいて非確変１５Ｒ大当り遊技に当選するとともに変動パターンＰ４が選択された場合、リーチラインＬＡ上に確定停止表示させる図柄組み合わせとして、非確変確定の大当り図柄を決定する。したがって、統括制御用ＣＰＵ３６ａは、増加前リーチ図柄として、確定停止表示させる非確変確定図柄と同一の図柄を決定することになる。一方、統括制御用ＣＰＵ３６ａは、ミッション演出（課題図柄が非確変確定図柄）を伴う図柄変動ゲームにおいて非確変１５Ｒ大当り遊技に当選するとともに変動パターンＰ６が選択された場合、リーチラインＬＣ上に確定停止表示させる図柄組み合わせとして、非確変確定の大当り図柄を決定する。したがって、統括制御用ＣＰＵ３６ａは、増加前リーチ図柄として、確定停止表示させる非確変確定図柄よりも表示順序が２つ前に設定された非確変確定図柄を決定することになる。
【０１１７】
次に、本実施形態のパチンコ遊技機１０において、増加後リーチ図柄の中にリーチライン増加前に提示された課題図柄と同一の図柄を含まないように実行される演出態様を、図８にしたがって説明する。なお、図８において演出表示装置２２内に図示する矢印は「図柄の変動」を示し、一点鎖線は「リーチラインとなったリーチライン」を示す。また、図８では、課題図柄として［３］が提示されていることを前提とする。また、図８では、はずれリーチ演出用の変動パターンＰ７が選択されていることを前提とする。
【０１１８】
前述したように、課題図柄として［３］が提示されているときに変動パターンＰ７が選択された場合、統括制御用ＣＰＵ３６ａは、増加前リーチ図柄として、課題図柄と同一の図柄、課題図柄よりも表示順序が１つ前の図柄、及び課題図柄よりも表示順序が２つ前の図柄を除く図柄の中から何れか１つの図柄を決定する。この例では、［０］、［４］〜［９］のうち何れか１つの図柄を選択することになる。そして、統括制御用ＣＰＵ３６ａは、リーチ形成図柄として［４］を決定したとする。この場合、演出表示装置２２では、図柄の変動が開始してから所定時間の経過後に、［４↓４］で示すリーチの図柄組み合わせが導出される（図８（ａ））。これにより、増加後リーチ図柄の中にリーチライン増加前に提示された課題図柄と同一の図柄（［３］）が含まれないことになる。
【０１１９】
その後、演出表示装置２２では、所定のキャラクタを題材としたリーチ演出に移行し、所定時間の経過後に、リーチラインの本数が、１本のリーチラインから３本のリーチライン（リーチラインＬＡ〜ＬＣ）に増加する。ちなみに、増加前リーチ図柄が［４］であったため、増加後リーチ図柄は、［４］と［５］と［６］となる（図８（ｂ））。その後、演出表示装置２２では、変動パターンＰ７に定められている演出内容に基づき、リーチラインＬＡ〜リーチラインＬＣにおいて煽り演出が行われた後、リーチラインＬＣ上に位置する中列の中段に［７］が導出され、リーチラインＬＣ上に［４７４］で示すはずれリーチの図柄組み合わせが一旦停止表示される。その後、変動パターンＰ７に定められた変動時間の経過後に、一旦停止表示中の図柄組み合わせが確定停止表示され、はずれが確定する（図８（ｃ））。
【０１２０】
したがって、本実施形態によれば、以下に示す効果を得ることができる。
（１）統括制御用ＣＰＵ３６ａは、増加後リーチ図柄の中に、リーチラインが増加する迄に課題として提示されたリーチ形成図柄と同一の図柄が含まれる内容でリーチ演出が実行されることを規制する。これにより、リーチライン増加時に、リーチライン増加前に課題として提示された図柄でリーチ形成図柄が形成されることがなくなり、課題付与演出に対する遊技者の誤認識を抑制することができる。
【０１２１】
（２）大当り抽選に当選している場合には、リーチライン増加時に、リーチライン増加前に課題として提示された図柄でリーチ形成図柄が形成されることを可能とした。これにより、課題達成により、大当り抽選に当選していることを認識させることができる。
【０１２２】
（３）この場合、増加後リーチ図柄の中に課題図柄と同一の図柄が含まれているにもかかわらず、課題図柄とは異なる図柄で大当りの図柄組み合わせが形成される場合もある。このような場合であっても、結局、大当り遊技が付与されることに違いはないので、遊技者の興趣を損ねることはない。
【０１２３】
（４）ミッション演出（課題図柄が非確変確定図柄の場合）を伴う図柄変動ゲームにおいて確変１５Ｒ大当り遊技に当選するとともに変動パターンＰ５が選択された場合、リーチラインＬＢ上に確定停止表示させる図柄の種類によっては、増加前リーチ図柄として課題図柄と同一の図柄が決定される場合がある。このような場合、非確変確定図柄でミッションを達成したと思わせながら、リーチラインの増加によって確変確定図柄で大当りの図柄組み合わせが形成されるので、大当り遊技の種類が昇格したかのような印象を与えることができる。
【０１２４】
（５）統括制御用ＣＰＵ３６ａは、増加後リーチ図柄の中に、リーチラインが増加する迄に課題として提示されたリーチ形成図柄と同一のリーチ形成図柄が含まれないように確定停止図柄を決定することによって、必然的に増加前リーチ図柄を決定することになる。これにより、リーチライン増加時に、リーチライン増加前に課題として提示された図柄でリーチ形成図柄が構成されることがなくなり、課題を達成したと勘違いさせてしまうことがない。
【０１２５】
（第２の実施形態）
次に、本発明をその一種であるパチンコ遊技機に具体化した第２の実施形態を図９及び図１０にしたがって説明する。以下に説明する実施形態では、既に説明した実施形態と同様の構成については同一符号を付すなどして、その重複する説明を省略又は簡略する。
【０１２６】
本実施形態では、増加後リーチ図柄の中にリーチライン増加前に提示された課題図柄と同一の図柄を含まないようにするための手法として、ミッション演出が実行される演出モードを終了させ、当該図柄変動ゲームにおけるミッション演出を無効化している。
【０１２７】
以下、本実施形態において、増加後リーチ図柄の中にリーチライン増加前に提示された課題図柄と同一の図柄を含まないようにする制御内容について図９に従って説明する。なお、図９に示す図柄決定処理において、図７の図柄決定処理と同一の処理内容には、同一の符号を付した。
【０１２８】
本実施形態において統括制御用ＣＰＵ３６ａは、図柄決定処理を実行する前に、入力した変動パターン指定コマンドで指定されるリーチライン上に導出するはずれリーチの図柄組み合わせを決定する。そして、統括制御用ＣＰＵ３６ａは、決定したはずれリーチの図柄組み合わせに基づいて増加前リーチ図柄を決定する。
【０１２９】
そして、統括制御用ＣＰＵ３６ａは、図柄決定処理において、ステップＳ１０で課題図柄の種類を確認した後、増加後リーチ図柄の中に課題図柄と同一の図柄が含まれているか否かを判定する（ステップＳ２１）。例えば、課題図柄として［１］が提示されているときに、変動パターンＰ７を指定する変動パターン指定コマンドを入力したことに基づいて、リーチラインＬＣ上に導出するリーチ形成図柄として［３］を決定した場合、統括制御用ＣＰＵ３６ａは、増加前リーチ図柄として［１］を決定することになる。この場合、増加後リーチ図柄として、リーチラインＬＡ上に［１］で示すリーチ形成図柄が、リーチラインＬＢ上に［２］で示すリーチ形成図柄が、リーチラインＬＣ上に［３］で示すリーチ形成図柄が導出されることになる。したがって、増加後リーチ図柄の中に課題図柄と同一の図柄（［１］）が含まれることになるので、統括制御用ＣＰＵ３６ａは、ステップＳ２１を肯定判定する。なお、ステップＳ２１は、増加前リーチ図柄として、課題図柄と同一図柄、課題図柄よりも表示順序が１つ前の図柄、及び課題図柄よりも表示順序が２つ前の図柄を決定した場合に肯定判定されるようになっている。
【０１３０】
そして、統括制御用ＣＰＵ３６ａは、ステップＳ２１の判定結果が肯定（増加後リーチ図柄の中に課題図柄と同一の図柄が含まれている）の場合、ミッション演出の終了を決定する（ステップＳ２２）。具体的には、統括制御用ＣＰＵ３６ａは、通常モードへの移行を決定し、図柄変動ゲームが開始する迄に、通常モードを指定するモード指定コマンドを各制御基板３７，３８に出力する。
【０１３１】
本実施形態では、高確示唆モード中のみミッション演出を実行可能としている。したがって、このように高確示唆モードから通常モードへ移行させることにより、通常モード中にミッション演出が実行されることを規制することができる。その一方、統括制御用ＣＰＵ３６ａは、ミッション演出を実行しないので、決定した飾り図柄を指示する飾り図柄用の停止図柄指定コマンドを変更することなく、演出表示制御基板３７に出力する。
【０１３２】
一方、統括制御用ＣＰＵ３６ａは、ステップＳ２１の判定結果が否定（増加後リーチ図柄の中に課題図柄と同一の図柄が含まれていない）の場合、ミッション演出の終了を決定することなく、図柄決定処理を終了する。なお、ステップＳ２１は、例えば、課題図柄として［１］が提示されているときに、変動パターンＰ７を指定する変動パターン指定コマンドを入力したことに基づいて、リーチラインＬＣ上に導出するリーチ形成図柄として［５］を決定した場合、統括制御用ＣＰＵ３６ａは、増加前リーチ図柄として［３］を決定することになる。この場合、増加後リーチ図柄として、リーチラインＬＡ上に［３］で示すリーチ形成図柄が、リーチラインＬＢ上に［４］で示すリーチ形成図柄が、リーチラインＬＣ上に［５］で示すリーチ形成図柄が導出されることになる。この場合、増加後リーチ図柄の中に課題図柄と同一の図柄が含まれないので、統括制御用ＣＰＵ３６ａは、ステップＳ２１を否定判定する。なお、ステップＳ２１は、増加前リーチ図柄として、課題図柄と同一図柄、課題図柄よりも表示順序が１つ前の図柄、及び課題図柄よりも表示順序が２つ前の図柄以外の図柄を決定した場合に否定判定されるようになっている。
【０１３３】
なお、統括制御用ＣＰＵ３６ａは、確変１５Ｒ大当り遊技又は非確変１５Ｒ大当り遊技に当選した場合、第１の実施形態と同様、増加後リーチ図柄の中に課題図柄と同一の図柄を含む組み合わせも決定し得るようになっている。
【０１３４】
次に、本実施形態において、増加後リーチ図柄の中にリーチライン増加前に提示された課題図柄と同一の図柄を含まないように実行される演出態様を、図１０にしたがって説明する。また、図１０では、課題図柄として［４］が提示されていることを前提とする。また、図１０では、はずれリーチ演出用の変動パターンＰ７が選択されていることを前提とする。
【０１３５】
前述したように、課題図柄として［４］が提示されているときに変動パターンＰ７が選択された場合、統括制御用ＣＰＵ３６ａは、リーチラインＬＣ上に導出するはずれリーチの図柄組み合わせとして［５６５］を決定したとする。この場合、統括制御用ＣＰＵ３６ａは、増加前リーチ図柄として［３］を決定することになる。そして、増加前リーチ図柄として［３］が決定された場合、増加後リーチ図柄は、［３］と［４］と［５］となる。この場合、増加後リーチ図柄の中に課題図柄と同一の図柄（［４］）が含まれるので、統括制御用ＣＰＵ３６ａは、ミッション演出の終了を決定し、通常モードへ移行させる。これにより、高確示唆モード中における直近の図柄変動ゲームでは、ミッション表示部ＭＨに課題図柄が表示されているが（図１０（ａ））、当該図柄変動ゲームの開始に伴って、演出モードが高確示唆モードから通常モードに移行する（図１０（ｂ））。そして、変動パターンＰ７に基づいて、通常モード移行後、最初の図柄変動ゲームが実行される。このとき、演出表示装置２２では、通常モードに移行したことにより、ミッション表示部ＭＨに課題図柄が表示されない（図１０（ｂ））。
【０１３６】
その後、演出表示装置２２では、［３↓３］で示すリーチの図柄組み合わせが導出された後（図１０（ｃ））、所定のキャラクタを題材としたリーチ演出に移行し、所定時間の経過後に、リーチラインの本数が、１本のリーチラインから３本のリーチライン（リーチラインＬＡ〜ＬＣ）に増加する。ちなみに、増加前リーチ図柄が［３］であったため、増加後リーチ図柄は、［３］と［４］と［５］となる（図１０（ｄ））。そして、［３］と［４］と［５］で示すリーチ形成図柄が導出されたとしても、ミッション演出が無効化されているので、増加後リーチ図柄の中に課題図柄と同一の図柄が含まれることはない。
【０１３７】
その後、演出表示装置２２では、変動パターンＰ７に定められている演出内容に基づき、リーチラインＬＡ〜リーチラインＬＣにおいて煽り演出が行われた後、リーチラインＬＣ上に位置する中列の中段に［６］が導出され、リーチラインＬＣ上に［５６５］で示すはずれリーチの図柄組み合わせが一旦停止表示される。その後、変動パターンＰ７に定められた変動時間の経過後に、一旦停止表示中の図柄組み合わせが確定停止表示され、はずれが確定する（図１０（ｅ））。
【０１３８】
本実施形態によれば、第１の実施形態に記載の効果（１）〜（４）に加えて以下に示す効果を得ることができる。
（６）増加前リーチ図柄を決定する際、増加後リーチ図柄の中に課題として提示されたリーチ形成図柄が含まれてしまう場合には、ミッション演出を実行させる演出モード自体を強制的に終了させるようにした。これにより、リーチライン増加時に、リーチライン増加前に課題として提示された図柄でリーチ形成図柄が構成されることがなくなり、課題を達成したと勘違いさせてしまうことがない。
【０１３９】
（７）増加後リーチ図柄の中に課題として提示されたリーチ形成図柄が含まれてしまう場合には、当該図柄変動ゲームの開始時に高確示唆モードから通常モードへ移行させるようにした。高確示唆モードから通常モードへの移行は、転落抽選の当選によっても移行し得るものであるため、モード移行に伴うミッション演出の終了に違和感を与えることがない。
【０１４０】
（第３の実施形態）
次に、本発明をその一種であるパチンコ遊技機に具体化した第３の実施形態を図１１及び図１２にしたがって説明する。以下に説明する実施形態では、既に説明した実施形態と同様の構成については同一符号を付すなどして、その重複する説明を省略又は簡略する。
【０１４１】
本実施形態では、増加後リーチ図柄の中にリーチライン増加前に提示された課題図柄と同一の図柄を含まないようにするための手法として、リーチ図柄の展開方向を基準方向とは異なる方向とすることとしている。なお、基準方向とは、各列の変動表示方向と同じ方向を指す。
【０１４２】
以下、本実施形態において、増加後リーチ図柄の中にリーチライン増加前に提示された課題図柄と同一の図柄を含まないようにする制御内容について図１１に従って説明する。なお、図１１に示す図柄決定処理において、図７及び図９の図柄決定処理と同一の処理内容には、同一の符号を付した。また、本実施形態では、統括制御用ＣＰＵ３６ａがリーチ形成図柄決定手段として機能する。
【０１４３】
本実施形態において統括制御用ＣＰＵ３６ａは、第２の実施形態と同様、図柄決定処理を実行する前に、入力した変動パターン指定コマンドで指定されるリーチライン上に導出するはずれリーチの図柄組み合わせを決定する。そして、統括制御用ＣＰＵ３６ａは、決定したはずれリーチの図柄組み合わせに基づいて増加前リーチ図柄を決定する。
【０１４４】
そして、統括制御用ＣＰＵ３６ａは、図柄決定処理において、ステップＳ１０で課題図柄の種類を確認した後、増加後リーチ図柄の中に課題図柄と同一の図柄が含まれているか否かを判定する（ステップＳ２１）。そして、統括制御用ＣＰＵ３６ａは、ステップＳ２１の判定結果が肯定（増加後リーチ図柄の中に課題図柄と同一の図柄が含まれている）の場合、リーチ形成図柄の展開方向として、逆方向への展開を決定する（ステップＳ３２）。
【０１４５】
具体的には、統括制御用ＣＰＵ３６ａは、課題図柄として［５］が提示されているときに、変動パターンＰ７を指定する変動パターン指定コマンドを入力したことに基づいて、リーチラインＬＣ上に導出するリーチ形成図柄として［５］を決定した場合、増加前リーチ図柄として［３］を決定することになる。この場合、増加後リーチ図柄として、リーチラインＬＡ上に［３］で示すリーチ形成図柄が、リーチラインＬＢ上に［４］で示すリーチ形成図柄が、リーチラインＬＣ上に［５］で示すリーチ形成図柄が導出されることになる。したがって、増加後リーチ図柄の中に課題図柄と同一の図柄が含まれることになる。
【０１４６】
そこで、統括制御用ＣＰＵ３６ａは、ステップＳ３２において、［３］で示すリーチ形成図柄を基準とし、各列の表示方向とは異なる方向に連続する図柄をリーチライン上に導出させることを決定する。つまり、統括制御用ＣＰＵ３６ａは、増加後リーチ図柄として、リーチラインＬＣ上に［３］で示すリーチ形成図柄を、リーチラインＬＢ上に［２］で示すリーチ形成図柄を、リーチラインＬＡ上に［１］で示すリーチ形成図柄を導出させることになる。そして、統括制御用ＣＰＵ３６ａは、逆方向への展開を指示する演出指示コマンドを統括制御用ＲＡＭ３６ｃにおける出力用バッファにセットし、図柄決定処理を終了する。それと同時に、統括制御用ＣＰＵ３６ａは、統括制御用ＲＡＭ３６ｃのワークエリアに記憶した飾り図柄用の停止図柄指定コマンドを、リーチラインＬＣ上に［３］で示すリーチ形成図柄を指定するコマンドに書き換える。そして、統括制御用ＣＰＵ３６ａは、書き換え後のコマンドを統括制御用ＲＡＭ３６ｃにおける出力用バッファにセットし、図柄決定処理を終了する。
【０１４７】
一方、統括制御用ＣＰＵ３６ａは、ステップＳ２１の判定結果が否定（増加後リーチ図柄の中に課題図柄と同一の図柄が含まれていない）の場合、逆方向への展開を決定することなく、図柄決定処理を終了する。この場合、増加後リーチ図柄の展開方向は、各列の表示方向に沿った方向となる。したがって、統括制御用ＣＰＵ３６ａは、決定した飾り図柄を指示する飾り図柄用の停止図柄指定コマンドの書き換えを行わない。また、統括制御用ＣＰＵ３６ａは、確変１５Ｒ大当り遊技又は非確変１５Ｒ大当り遊技に当選した場合、第１の実施形態及び第２の実施形態と同様、増加後リーチ図柄の中に課題図柄と同一の図柄を含む組み合わせも決定し得るようになっている。
【０１４８】
次に、本実施形態において、増加後リーチ図柄の中にリーチライン増加前に提示された課題図柄と同一の図柄を含まないように実行される演出態様を、図１２にしたがって説明する。また、図１２では、課題図柄として［３］が提示されていることを前提とする。また、図１２では、はずれリーチ演出用の変動パターンＰ７が選択されていることを前提とする。
【０１４９】
前述したように、課題図柄として［３］が提示されているときに変動パターンＰ７が選択された場合、統括制御用ＣＰＵ３６ａは、リーチラインＬＣ上に導出するはずれリーチの図柄組み合わせとして［３４３］を決定したとする。これにより、統括制御用ＣＰＵ３６ａは、当該図柄組み合わせを指示する飾り図柄用の停止図柄指定コマンドを生成し、統括制御用ＲＡＭ３６ｃにおけるワークエリアに記憶する。この場合、統括制御用ＣＰＵ３６ａは、増加前リーチ図柄として［１］を決定することになる。そして、増加前リーチ図柄として［１］が決定された場合、増加後リーチ図柄は［１］と［２］と［３］となり、課題図柄と同一の図柄（［３］）を含むことになるので、統括制御用ＣＰＵ３６ａは、逆方向への展開を決定し、リーチ形成図柄の展開方向を変更する。
【０１５０】
これにより、演出表示装置２２では、［１↓１］で示すリーチの図柄組み合わせが導出された後（図１２（ａ））、所定のキャラクタを題材としたリーチ演出に移行し、所定時間の経過後に、リーチラインの本数が、１本のリーチラインから３本のリーチライン（リーチラインＬＡ〜ＬＣ）に増加する。なお、増加前リーチ図柄が［１］であるとともに、リーチ形成図柄の展開方向が逆方向となるため、増加後リーチ図柄として、リーチラインＬＡ上に［９］で示すリーチ形成図柄が、リーチラインＬＢ上に［０］で示すリーチ形成図柄が、リーチラインＬＣ上に［１］で示すリーチ形成図柄が導出される（図１２（ｂ））。そして、リーチ形成図柄の展開方向が逆方向となっているので、増加後リーチ図柄の中に課題図柄と同一の図柄が含まれることはない。
【０１５１】
その後、演出表示装置２２では、変動パターンＰ７に定められている演出内容に基づき、リーチラインＬＡ〜リーチラインＬＣにおいて煽り演出が行われた後、リーチラインＬＣ上に位置する中列の中段に［２］が導出され、リーチラインＬＣ上に［１２１］で示すはずれリーチの図柄組み合わせが一旦停止表示される。その後、変動パターンＰ７に定められた変動時間の経過後に、一旦停止表示中の図柄組み合わせが確定停止表示され、はずれが確定する（図１２（ｃ））。
【０１５２】
本実施形態によれば、第１の実施形態に記載の効果（１）〜（４）に加えて以下に示す効果を得ることができる。
（８）リーチライン増加時における図柄の展開方向を、基準方向とは異なる逆方向にすることで、リーチライン増加時に、リーチライン増加前に課題として提示された図柄でリーチ形成図柄が構成されることがなくなり、課題を達成したと勘違いさせてしまうことがない。
【０１５３】
（９）リーチライン増加時における図柄の展開方向を逆方向としたことにより、意外性を与えることができる。
（第４の実施形態）
次に、本発明をその一種であるパチンコ遊技機に具体化した第４の実施形態を図１３及び図１４にしたがって説明する。以下に説明する実施形態では、既に説明した実施形態と同様の構成については同一符号を付すなどして、その重複する説明を省略又は簡略する。
【０１５４】
本実施形態では、増加後リーチ図柄の中にリーチライン増加前に提示された課題図柄と同一の図柄を含まないようにするための手法として、副図柄Ｄで課題を提示する一方で、リーチライン増加時に、主図柄Ｎのみで構成されるリーチ形成図柄を導出させることとしている。なお、主図柄Ｎ及び副図柄Ｄについては、後に詳述する。
【０１５５】
本実施形態において、演出表示装置２２に表示される１０種類の図柄は、アラビア数字「０」〜「９」を模した主図柄Ｎと、当該主図柄Ｎに付随する副図柄Ｄとを組み合わせて構成されている（図１３参照）。具体的に言えば、「１」を認識可能な図柄は、アラビア数字「１」を模した主図柄Ｎに対して「にわとり」を模した副図柄Ｄを組み合わせた意匠からなる図柄とされている。「２」を認識可能な図柄は、アラビア数字「２」を模した主図柄Ｎに対して「ひよこ」を模した副図柄Ｄを組み合わせた意匠からなる図柄とされている。以下同様に、「３」〜「９」，「０」を認識可能な図柄として、アラビア数字「３」〜「９」，「０」を模した主図柄Ｎに対して、それぞれ異なる「鳥類（例えば、「すずめ」、「わし」など）」を模した副図柄Ｄを組み合わせた意匠からなる図柄が設定されている。なお、以下の説明では、主図柄Ｎと副図柄Ｄで構成された図柄を、「識別図柄」と示す。
【０１５６】
そして、副図柄Ｄは、主図柄Ｎの前面側に重ね合わされるように付加され、主図柄Ｎが示す数字の一部を覆っている。また、副図柄Ｄは、主図柄Ｎが示す数字の種類が識別可能となるように、その大きさ及び付加される位置が定められている。具体的には、副図柄Ｄは、主図柄Ｎが示す数字の表示面積（画像表示部ＧＨに対する表示面積）に比して、その表示面積（画像表示部ＧＨに対する表示面積）が小さくなるように形成されている。また、副図柄Ｄは、主図柄Ｎが示す数字の下部側に付加されるようになっている。そして、本実施形態において、ミッション演出を伴わない図柄変動ゲームでは、演出表示装置２２において識別図柄による図柄の組み合わせが導出されるようになっており、主図柄Ｎの組み合わせによって大当りか否かが認識可能となっている。なお、副図柄は各主図柄Ｎを装飾する役割を担っている。
【０１５７】
一方、ミッション演出を伴う図柄変動ゲームでは、課題として副図柄Ｄの種類が提示されるようになっている。そして、ミッション演出を伴う図柄変動ゲームでは、増加前リーチ図柄として識別図柄によって構成される１つのリーチの図柄組み合わせが導出された後、識別図柄から副図柄Ｄが除かれた状態（主図柄Ｎのみ）で増加後リーチ図柄が導出されるようになっている。
【０１５８】
以下、本実施形態において、増加後リーチ図柄の中にリーチライン増加前に提示された課題図柄と同一の図柄を含まないように実行される演出態様を、図１４にしたがって説明する。また、図１４では、課題図柄として［ひよこ］が提示されていることを前提とする。また、図１４では、はずれリーチ演出用の変動パターンＰ７が選択されていることを前提とする。
【０１５９】
前述したように、課題図柄として［ひよこ］が提示されているときに変動パターンＰ７が選択された場合、統括制御用ＣＰＵ３６ａは、リーチラインＬＣ上に導出するはずれリーチの図柄組み合わせとして［３４３］を決定したとする。この場合、統括制御用ＣＰＵ３６ａは、増加前リーチ図柄として［１］を認識可能な識別図柄を決定することになる。そして、増加前リーチ図柄として［１］を認識可能な識別図柄が決定された場合、増加後リーチ図柄は、［１（主図柄Ｎのみ）］と［２（主図柄Ｎのみ）］と［３（主図柄Ｎのみ）］となる。この場合、増加後リーチ図柄の中に、［２］を認識可能な識別図柄を構成する主図柄Ｎと同一の図柄（［２］）が含まれることになる。ただし、課題として提示されている図柄は、「ひよこ」を模した副図柄Ｄのみであるため、増加後リーチ図柄の中に、［２］を認識可能な識別図柄を構成する副図柄Ｄと同一の副図柄Ｄ（［ひよこ］）は含まれていない。
【０１６０】
これにより、演出表示装置２２では、「ひよこでリーチをかけろ！！」という課題が提示されている状態で図柄の変動が開始され（図１４（ａ））、所定時間の経過後に、［１］を認識可能な識別図柄で構成されたリーチの図柄組み合わせ（［１↓１］）が導出された後（図１４（ｂ））、所定のキャラクタを題材としたリーチ演出に移行する。そして、所定時間の経過後に、リーチラインの本数が、１本のリーチラインから３本のリーチライン（リーチラインＬＡ〜ＬＣ）に増加する。ちなみに、増加前リーチ図柄が［１（識別図柄）］であるため、増加後リーチ図柄として、リーチラインＬＡ上に［１（主図柄Ｎのみ）］で示すリーチ形成図柄が、リーチラインＬＢ上に［２（主図柄Ｎのみ）］で示すリーチ形成図柄が、リーチラインＬＣ上に［３（主図柄Ｎのみ）］で示すリーチ形成図柄が導出される（図１４（ｃ））。この場合、増加後リーチ図柄の中に、［２］を認識可能な識別図柄を構成する主図柄Ｎと同一の図柄（［２（主図柄Ｎのみ）］）が含まれているが、課題として提示されている図柄は、「ひよこ」を模した副図柄Ｄのみである。つまり、増加後リーチ図柄の中に、［２］を認識可能な識別図柄を構成する副図柄Ｄと同一の副図柄Ｄ（［ひよこ］）は含まれていない。したがって、ミッションを達成しているわけではない。
【０１６１】
その後、演出表示装置２２では、変動パターンＰ７に定められている演出内容に基づき、リーチラインＬＡ〜リーチラインＬＣにおいて煽り演出が行われた後、リーチラインＬＣ上に位置する中列の中段に［４］が導出され、リーチラインＬＣ上に［３４３］で示すはずれリーチの図柄組み合わせが一旦停止表示される。その後、変動パターンＰ７に定められた変動時間の経過後に、一旦停止表示中の図柄組み合わせが確定停止表示され、はずれが確定する（図１４（ｄ））。
【０１６２】
本実施形態によれば、第１の実施形態に記載の効果（１）に加えて以下に示す効果を得ることができる。
（１０）増加後リーチ図柄の中に、課題として指示されたリーチ形成図柄が含まれていたとしても、課題として指示された図柄は、あくまで「副図柄Ｄ」なので、発展後のリーチ形成図柄（主図柄Ｎのみ）は、課題として提示された図柄ではなく、課題達成とは言えない。したがって、課題を達成したと勘違いさせてしまうことがない。
【０１６３】
（第５の実施形態）
次に、本発明をその一種であるパチンコ遊技機に具体化した第５の実施形態を図１５にしたがって説明する。以下に説明する実施形態では、既に説明した実施形態と同様の構成については同一符号を付すなどして、その重複する説明を省略又は簡略する。
【０１６４】
上記第１の実施形態〜第３の実施形態では、確変１５Ｒ大当り遊技又は非確変１５Ｒ大当り遊技に当選した場合、増加後リーチ図柄の中に課題図柄と同一の図柄が含まれたとしても、大当り遊技が付与されることに違いはないので、決定した図柄組み合わせを導出させるようにしていた。
【０１６５】
本実施形態では、確変確定図柄と非確変確定図柄が交互に変動表示されるようになっている。したがって、増加後リーチ図柄は、確変確定図柄と非確変確定図柄の両方の図柄で形成される態様となっている。そして、課題図柄として確変確定図柄が提示され、増加後リーチ図柄の中に課題図柄と同一の図柄が含まれる場合、見た目上、ミッションの達成によって大当りを得られたかのような演出が実行されることになる。しかしながら、付与される大当り遊技の種類、課題図柄の種類、及びリーチ形成図柄の種類によっては、大当りを得られたかのような演出が実行されたとしても、当該演出が、遊技者の興趣を低下させ兼ねない演出となってしまう。
【０１６６】
例えば、統括制御用ＣＰＵ３６ａが、課題図柄として［１］が提示されている状態で非確変１５Ｒ大当り遊技に当選するとともに変動パターンＰ６が選択されたときに、リーチラインＬＣ上に［２２２］で形成される大当りの図柄組み合わせを導出させることを決定したとする。この場合、増加前リーチ図柄が［０］となるとともに、増加後リーチ図柄は、［０］と［１］と［２］となり、課題図柄として提示されている図柄（この例では［１］）と同一の図柄が含まれるので、見た目上、ミッションの達成によって大当りを得られたかのような演出が実行されることになる。ところが、付与される大当り遊技の種類が非確変１５Ｒ大当り遊技であった場合、確定大当り図柄として確変確定の大当り図柄が決定されることはないので、大当りの図柄組み合わせとしては非確変確定図柄しか決定され得ない。このような場合であっても、遊技者は、課題として提示されている確変確定図柄と同一の図柄でリーチ状態が形成されているので、確変１５Ｒ大当り遊技に当選していることを期待する。しかしながら、実際は、［１］で形成されるリーチ図柄が一旦停止表示されているにもかかわらず、［２２２］で示す非確変確定の大当り図柄が停止表示されるとともに、非確変１５Ｒ大当り遊技に当選していることが報知され、降格したかのような印象を与えてしまうことになる。
【０１６７】
以下、大当り抽選に当選した際に降格したかのような印象を与える表示態様を例示する。なお、以下の説明では、ミッション演出実行中に限って降格したかのような印象を与える表示態様のことを、「不適表示態様」と示す。つまり、ミッション演出が実行されていないときには、課題図柄が提示されていないので、降格したかのような印象を与えることがない。また、ミッション演出実行中にリーチラインが増加しない場合も、降格の対象となる図柄が導出されていないので、降格したかのような印象を与えることがない。
【０１６８】
例えば、図１５（ａ）に示すように、課題図柄として［１］が提示されている場合において、増加前リーチ図柄として［０］が決定されたとき、リーチラインＬＡ上に［０］で示すリーチ形成図柄が、リーチラインＬＢ上に［１］で示すリーチ形成図柄が、リーチラインＬＣ上に［２］で示すリーチ形成図柄が導出される表示態様がある。また、図１５（ｂ）に示すように、課題図柄として［１］が提示されている場合において、増加前リーチ図柄として［１］が決定されたとき、リーチラインＬＡ上に［１］で示すリーチ形成図柄が、リーチラインＬＢ上に［２］で示すリーチ形成図柄が、リーチラインＬＣ上に［３］で示すリーチ形成図柄が導出される表示態様がある。また、図１５（ｃ）に示すように、課題図柄として［１］が提示されている場合において、増加前リーチ図柄として［９］が決定されたとき、リーチラインＬＡ上に［９］で示すリーチ形成図柄が、リーチラインＬＢ上に［０］で示すリーチ形成図柄が、リーチラインＬＣ上に［１］で示すリーチ形成図柄が導出される表示態様がある。このような場合、課題として提示されている確変確定図柄と同一の図柄でリーチ状態が形成されているにもかかわらず、非確変確定の大当り図柄が停止表示されることになる。
【０１６９】
このように、本実施形態における増加後リーチ図柄は、確変確定図柄と非確変確定図柄の両方の図柄で形成されるようになっている。したがって、課題図柄として確変確定図柄が提示されているときに非確変１５Ｒ大当り遊技に当選すると、このような事態が起こり得る。なお、本実施形態では、課題図柄として選択される確変確定図柄が［１］［３］［５］［７］［９］で示す５種類に設定されている。それとともに、増加前リーチ形成図柄が、課題図柄と同一の図柄、課題図柄よりも表示順序が１つ前の図柄、及び課題図柄よりも表示順序が２つ前の図柄である場合に不適表示態様となり得るので、不適表示態様は、５×３＝１５種類となる。そして、統括制御用ＲＯＭ３６ｂには、決定した図柄組み合わせを視覚化した場合に不適表示態様となり得るパターンが、不適表示態様リストとして記憶されている。
【０１７０】
以下、統括制御用ＣＰＵ３６ａが、ミッション演出を伴う図柄変動ゲーム中に、降格したかのような印象を与えないようにする制御内容について、図１５（ａ）〜（ｃ）に従って説明する。本実施形態では、統括制御用ＣＰＵ３６ａが、表示パターン決定手段として機能する。
【０１７１】
図１５（ａ）〜（ｃ）は、飾り図柄用の停止図柄指定コマンドで指定される図柄組み合わせを視覚化した際に、不適表示態様となる場合における変更用の表示態様との対応付けを示している。
【０１７２】
例えば、図１５（ａ）に示すように、課題図柄として［１］が提示されている場合において、リーチラインＬＡ上に［０］で示すリーチ形成図柄が、リーチラインＬＢ上に［１］で示すリーチ形成図柄が、リーチラインＬＣ上に［２］で示すリーチ形成図柄が導出されるとする。このような場合、課題図柄を変更することなく、変更後の表示態様として、リーチラインＬＡ上に［２］で示すリーチ形成図柄が、リーチラインＬＢ上に［３］で示すリーチ形成図柄が、リーチラインＬＣ上に［４］で示すリーチ形成図柄が導出される表示態様が１対１で対応付けられている。なお、変更後の表示態様は、課題図柄として［３］が提示されている場合には、不適表示態様となる表示態様である。
【０１７３】
また、図１５（ｂ）に示すように、課題図柄として［１］が提示されている場合において、リーチラインＬＡ上に［１］で示すリーチ形成図柄が、リーチラインＬＢ上に［２］で示すリーチ形成図柄が、リーチラインＬＣ上に［３］で示すリーチ形成図柄が導出されるとする。このような場合、課題図柄を変更することなく、変更後の表示態様として、リーチラインＬＡ上に［３］で示すリーチ形成図柄が、リーチラインＬＢ上に［４］で示すリーチ形成図柄が、リーチラインＬＣ上に［５］で示すリーチ形成図柄が導出される表示態様が１対１で対応付けられている。なお、変更後の表示態様は、課題図柄として［３］又は［５］が提示されている場合には、不適表示態様となる表示態様である。
【０１７４】
また、図１５（ｃ）に示すように、課題図柄として［１］が提示されている場合において、リーチラインＬＡ上に［９］で示すリーチ形成図柄が、リーチラインＬＢ上に［０］で示すリーチ形成図柄が、リーチラインＬＣ上に［１］で示すリーチ形成図柄が導出されるとする。このような場合、課題図柄を変更することなく、変更後の表示態様として、リーチラインＬＡ上に［５］で示すリーチ形成図柄が、リーチラインＬＢ上に［６］で示すリーチ形成図柄が、リーチラインＬＣ上に［７］で示すリーチ形成図柄が導出される表示態様が１対１で対応付けられている。なお、変更後の表示態様は、課題図柄として［５］又は［７］が提示されている場合には、不適表示態様となる表示態様である。
【０１７５】
また、ここでは図示しないが、課題図柄としての［３］［５］［７］［９］に対しても、課題図柄として［１］が提示されている場合と同様、それぞれ変更用の表示態様が１対１で対応付けられている。
【０１７６】
このように、変更後の表示態様では、非確変確定の大当り図柄が停止表示されるものの、課題として提示されている図柄でリーチが形成されないので、遊技者に降格したかのような印象を与えることがない。
【０１７７】
したがって、本実施形態では、飾り図柄用の停止図柄指定コマンドで指定される図柄組み合わせを視覚化した場合に不適表示態様となる場合、複数の表示態様の中から、課題図柄の種類によっては不適表示態様となる別の不適表示態様と変更するようにしている。また、変更後の表示態様は、課題図柄の種類によっては不適表示態様となるものであるが、当該課題図柄では不適表示態様とはならない。さらに、変更前と変更後の表示態様では、大当りの図柄組み合わせが、変更前と同じ期待度の図柄同士で変更されるとともに、変更前と同じリーチライン上に導出されるようになっている。
【０１７８】
以下、ミッション演出を伴う図柄変動ゲームを開始させるにあたっての制御内容を、図１５（ａ）にしたがって説明する。なお、図１５（ａ）では、「１図柄でリーチをかけろ！」のミッション（課題）が提示されているとともに、非確変１５Ｒ大当り遊技に当選したことを前提とする。
【０１７９】
統括制御用ＣＰＵ３６ａは、ミッション演出を伴う図柄変動ゲームに関し、特別図柄用の停止図柄指定コマンド及び変動パターン指定コマンドに基づいて、変動パターン指定コマンドで指定されるリーチライン上に確定停止表示させる飾り図柄の図柄組み合わせを決定する。そして、統括制御用ＣＰＵ３６ａは、当り演出用の変動パターンＰ４に基づいてリーチラインＬＡ上に［０００］で示す非確変確定の大当り図柄を確定停止表示させることを決定したとする。この場合、統括制御用ＣＰＵ３６ａは、当該図柄組み合わせを指示する飾り図柄用の停止図柄指定コマンドを生成する。そして、統括制御用ＣＰＵ３６ａは、生成した飾り図柄用の停止図柄指定コマンドを、統括制御用ＲＡＭ３６ｃにおけるワークエリアに設定しておく。
【０１８０】
その後、統括制御用ＣＰＵ３６ａは、統括制御用ＲＡＭ３６ｃのワークエリアに記憶させた課題図柄の種類と、飾り図柄用の停止図柄指定コマンドで指定される内容を比較する。具体的には、統括制御用ＣＰＵ３６ａは、飾り図柄用の停止図柄指定コマンドに基づく表示パターン（図１５（ａ）のような態様）が、統括制御用ＲＯＭ３６ｂに記憶されている不適表示態様リストに該当するか否かを判定する。この場合、課題図柄として［１］が提示されているので、統括制御用ＣＰＵ３６ａは、不適表示判定を肯定判定することになる。
【０１８１】
その後、統括制御用ＣＰＵ３６ａは、図１５（ａ）で対応付けられているように、リーチラインＬＡ上に［２２２］で示す非確変確定の大当り図柄を停止表示させる表示パターンを新たに決定する（図１５（ａ））。この場合、統括制御用ＣＰＵ３６ａは、当該図柄組み合わせを指示するための飾り図柄用の停止図柄指定コマンドを生成する。
【０１８２】
そして、統括制御用ＣＰＵ３６ａは、生成した飾り図柄用の停止図柄指定コマンドを、統括制御用ＲＡＭ３６ｃにおけるワークエリアに記憶させた飾り図柄用の停止図柄指定コマンドに上書きする。その後、統括制御用ＣＰＵ３６ａは、上書きした飾り図柄用の停止図柄指定コマンドを、統括制御用ＲＡＭ３６ｃにおける出力用バッファに設定した後、演出表示制御基板３７に出力する。
【０１８３】
一方、統括制御用ＣＰＵ３６ａは、課題図柄と確定大当り図柄が同一の期待度であった場合や、課題図柄よりも確定大当り図柄の方が、期待度が高い場合は、不適表示判定を否定判定することになる。これにより、統括制御用ＣＰＵ３６ａは、決定した図柄組み合わせの変更を行わない。
【０１８４】
そして、演出表示装置２２で実行される実際の図柄変動ゲームでは、［２↓２］で示すリーチの図柄組み合わせが導出された後、リーチラインＬＡ上に［２］で示すリーチ形成図柄が、リーチラインＬＢ上に［３］で示すリーチ形成図柄が、リーチラインＬＣ上に［４］で示すリーチ形成図柄が導出されることになる。その後、所定時間が経過すると、中列の中段に［２］が導出され、リーチラインＬＡ上に［２２２］で非確変確定の大当り図柄が一旦停止表示される。そして、所定時間経過後に、当該図柄組み合わせが確定停止表示される。
【０１８５】
このように、確定停止表示させる図柄組み合わせを書き換えることにより、非確変確定の大当り図柄（［２２２］）が導出されるものの、増加後リーチ図柄の中には、課題として提示されている図柄（［１］）を含んでいない。さらに、当該大当りの図柄組み合わせを構成する図柄は、課題図柄よりも不利な図柄であるため、遊技者に降格したかのような印象を与えることがない。
【０１８６】
また、変更前の図柄組み合わせも、リーチラインＬＡ上に大当りの図柄組み合わせを確定停止表示させる態様である。これにより、変更前後の図柄変動ゲームでは、同一の変動パターンに基づき、同一のリーチライン上に停止表示させる図柄組み合わせを変更することができる。
【０１８７】
本実施形態によれば、第１の実施形態に記載の効果（１）に加えて以下に示す効果を得ることができる。
（１１）ミッション図柄でリーチをかけたにもかかわらず、期待度の低い大当りへの当選が示唆されることがなくなり、興趣の低下を抑制することができる。
【０１８８】
（１２）また、複数回の図柄変動ゲームを跨いで実行されるミッション演出では、ミッション演出実行中に課題図柄の種類を原則的に変更させることなく、同じ内容を継続させるようになっている。したがって、ゲーム毎に課題図柄が変更されるようなパチンコ遊技機であれば、決定した図柄組み合わせを視覚化したときに不適表示態様となるのであれば、課題図柄を変更すれば良いが、本実施形態のように複数回に亘って同一の課題図柄が提示される場合、不適表示態様になるからといって課題図柄の書き換えはできない。このような場合であっても、課題図柄を書き換えることなく、不適表示態様とならないように制御することができる。
【０１８９】
（１３）統括制御用ＣＰＵ３６ａは、決定した図柄組み合わせを変更する際、課題図柄の種類によっては不適表示態様となる図柄組み合わせ同士で変更するようにした。このようにすることで、変更前の図柄組み合わせが、その他の不適表示態様では、変更後の図柄組み合わせとして対応付けられることになる。これにより、今回の図柄変動ゲームでは、変更前の図柄組み合わせでゲームが実行されないが、その他の図柄変動ゲームでは、変更前の図柄組み合わせに依存するリーチ図柄でリーチを形成させ、遊技者に当該リーチを視認させることができる。
【０１９０】
（１４）また、変更前の図柄組み合わせを決定する際の振分値が均等であれば、１つの図柄への偏りを防ぐことができるとともにリーチ図柄の選択確率を一定に保つことができる。
【０１９１】
（１５）変更前の図柄組み合わせと変更後の図柄組み合わせを１対１で対応付けた。これにより、不適表示態様とならない図柄組み合わせが無数にある中、総合的なリーチ図柄の選択率を考慮して図柄組み合わせを決定したり、再度、不適表示判定を行う手間などが省け、変更後の図柄組み合わせの決定に係る制御を簡略化することができる。
【０１９２】
（１６）不適表示態様として設定されている表示態様同士で変更することにより、記憶されている不適表示態様を流用することが可能となる。したがって、変更先の図柄組み合わせとして表示パターンを多数対応付けなくても、１５種類の不適表示態様のみで図柄組み合わせの変更を行うことができるので、記憶量の削減に繋がる。
【０１９３】
（１７）また、変更後の図柄組み合わせとして対応付けられている表示態様は、どの図柄変動ゲームが実行されている場合であっても、選択され得る図柄組み合わせとなっている。これにより、決定した図柄組み合わせを視覚化した際に不適表示態様となることにより、図柄組み合わせを変更したとしても、その変更は、図柄変動ゲームが実際に演出表示装置２２で実行される前であるとともに、実際に実行される図柄変動ゲームも特別な演出内容ではない。したがって、遊技者に、図柄組み合わせが変更されたことに対して違和感を抱かせることがない。
【０１９４】
なお、各実施形態は以下のように変更してもよい。
・  各実施形態において、同一の課題が提示される期間は、１０回に限られず、１回毎に課題内容が変更されるようにしても良いし、２回以上１０回未満毎に課題内容が変更されるようにしても良い。このような場合、統括制御用ＣＰＵ３６ａは、課題図柄を変更する度に、決定した課題図柄の種類を統括制御用ＲＡＭ３６ｃのワークエリアに記憶させる。そして、統括制御用ＣＰＵ３６ａは、特別図柄用の停止図柄指定コマンド及び変動パターン指定コマンドに基づいて確定停止表示させる図柄組み合わせを決定する。そして、統括制御用ＣＰＵ３６ａは、決定した図柄組み合わせと課題図柄を比較し、不適表示態様となるか否かを判定する。そして、不適表示態様となる場合には、不適表示態様とならない図柄組み合わせを決定し、新たに決定した図柄組み合わせを指示する飾り図柄用の停止図柄指定コマンドを上書きする。そして、第５の実施形態において、決定した図柄組み合わせが不適表示態様となるのであれば、図柄組み合わせを変更するのではなく、提示している課題図柄を変更するようにしても良い。
【０１９５】
・  各実施形態において、ミッション演出の最低実行回数は１０回に限られない。
・  各実施形態において、ミッション演出の実行中に課題図柄を変更させるミッション変更演出を実行するようにしても良い。
【０１９６】
・  各実施形態は、再抽選演出及び大当り中昇格演出を実行し得るパチンコ遊技機に採用しても良い。なお、再抽選演出は、図柄組み合わせゲームにおいて、大当りの図柄組み合わせを一旦停止表示させた後、その図柄組み合わせを再変動させて最終的に確定停止表示させる大当り図柄を導出する演出である。この再抽選演出は、非確変１５Ｒ大当り遊技を認識し得る大当り図柄が、確変１５Ｒ大当り遊技を認識し得る大当り図柄に昇格するか否かを遊技者に期待させる演出として行われる。一方、大当り中昇格演出とは、大当り遊技中を演出実行時期として行われる演出であり、大当り遊技中のラウンド遊技において予め定めた特定演出を実行させる演出態様で行われる。そして、確変１５Ｒ大当り遊技に当選している場合に大当り中昇格演出が実行されると、図柄変動ゲームで最終的に導出された飾り図柄の大当り図柄が非確変確定の大当り図柄であっても、大当り遊技中に確変１５Ｒ大当り遊技に当選していることが報知されることになる。そして、ミッション演出を伴う図柄変動ゲームにおいて確変１５Ｒ大当り遊技に当選するとともに変動パターンＰ５が選択され、かつ再抽選演出の実行によって当該大当り遊技に当選していることが報知されるとする。この場合、課題図柄として［３］が提示されているとすると、統括制御用ＣＰＵ３６ａは、課題図柄の種類を考慮することなく、［０］〜［９］のうち何れか１つの図柄をリーチラインＬＢ上に導出する仮の大当りの図柄組み合わせとして決定することができる。一方、同じ条件下で非確変１５Ｒ大当り遊技に当選した場合、リーチ形成図柄として［３］を決定することはできないので、必然的にリーチラインＬＢ上に［４４４］で示す仮の大当りの図柄組み合わせを一旦停止表示させることができなくなる。したがって、統括制御用ＣＰＵ３６ａは、リーチラインＬＢ上に［０００］［２２２］［６６６］［８８８］のうちいずれか１つの図柄組み合わせを一旦停止表示させることを決定する。そして、統括制御用ＣＰＵ３６ａは、リーチラインＬＢ上に導出する大当りの図柄組み合わせ（例えば、［２２２］）にしたがって、増加前リーチ図柄として［１］を必然的に決定するので、増加後リーチ図柄は、［１］と［２］と［３］となる。また、ミッション演出を伴う図柄変動ゲームにおいて確変１５Ｒ大当り遊技に当選するとともに変動パターンＰ５が選択され、かつ大当り中昇格演出の実行によって当該大当り遊技に当選していることが報知されるとする。この場合、課題図柄として［３］が提示されているとすると、増加前リーチ図柄として［３］を決定することはできないので、必然的にリーチラインＬＢ上に［４４４］で示す大当りの図柄組み合わせを確定停止表示させることができなくなる。したがって、統括制御用ＣＰＵ３６ａは、リーチラインＬＢ上に［０００］［２２２］［６６６］［８８８］のうちいずれか１つの図柄組み合わせを確定停止表示させることを決定する。そして、統括制御用ＣＰＵ３６ａは、リーチラインＬＢ上に導出する大当りの図柄組み合わせ（例えば、［２２２］）にしたがって、増加前リーチ図柄として［１］を必然的に決定するので、増加後リーチ図柄は、［１］と［２］と［３］となる。一方、同じ条件下で非確変���５Ｒ大当り遊技に当選した場合も、確変１５Ｒ大当り遊技と同じルールに基づいて図柄組み合わせが決定される。
【０１９７】
・  第５の実施形態では、変更前後の図柄組み合わせを１対１で対応付けていたが、そのような対応付けを行わず、変更後の図柄組み合わせを、全ての不適表示態様を対象として抽選で決定するようにしても良い。
【０１９８】
・  各実施形態では、飾り図柄の種類を、確変確定の大当り図柄（［１］［３］［５］［７］［９］）と非確変確定の大当り図柄（［０］［２］［４］［６］［８］）の２種類に分けた。図柄の区分は、前述した２種類の分け方に限られず、確変確定の大当り図柄を［７］のみとし、非確変確定の大当り図柄を［７］以外とするなどしても良い。また、飾り図柄による大当りの図柄組み合わせによる遊技者にとっての期待度を３段階以上に設定することもできる。例えば、第１グループ（［０］［４］［６］）、第２グループ（［１］［２］［５］［８］［９］）、第３グループ（［３］［７］）を設定し、第１グループ＜第２グループ＜第３グループの順に期待度が高くなるような構成を採用しても良い。このような図柄グループのグループ分けを行った場合、課題図柄として［７］が決定されているときの図柄変動ゲームにおいて、大当り抽選に当選し、確変１５Ｒ大当り遊技の付与が決定されたとする。そして、確定大当り図柄として［３］が決定されているとともに、仮の大当り図柄として［８］をリーチラインＬＣ上に導出することが決定されている場合、リーチライン増加後のリーチ形成図柄は［７］［８］［９］となるので、当該図柄組み合わせを視覚化したときの表示態様は、不適表示態様となる。この場合、統括制御用ＣＰＵ３６ａは、変更後の図柄組み合わせとして、リーチラインＬＣ上に［６６６］で示す仮の大当り図柄を一旦停止表示させる図柄組み合わせに変更しても良い。このような変更を行った場合、変更前の大当り図柄（［８８８］）よりも変更後の大当り図柄（［６６６］）の方が、期待度が低く設定されていることになるが、最終的に、再抽選演出を経て確変確定の大当り図柄（［３３３］）が導出されるため、遊技者にとって不利益とはならない。
【０１９９】
・  各実施形態において、遊技者にとっての期待度を示す内容は、大当りの図柄組み合わせに基づくような構成であれば変更することができる。例えば、確変状態であるか否かを遊技者に認識させ難くする機能（所謂、潜確機能）を設け、確変状態への期待度を大当りの図柄組み合わせ毎に設定してそれによって期待度を示す内容とすることもできる。また、例えば、大当りの図柄組み合わせ毎に獲得し得る賞球の総数に差を設け（ラウンド数を異ならせたり、ラウンド数は同じで大入賞口２９の開放態様（開放時間）を異ならせたりする）、獲得し得る賞球の総数によって期待度を示す内容とすることもできる。
【０２００】
・  第４の実施形態において、副図柄Ｄは、鳥類をテーマとするものに限られず、乗り物や魚類などをテーマとするものにしても良い。
・  第４の実施形態において、課題図柄として主図柄Ｎを提示する一方で、増加後リーチ図柄として副図柄Ｄを導出するようにしても良い。また、課題図柄として識別図柄を提示する一方で、増加後リーチ図柄として主図柄Ｎ又は副図柄Ｄのどちらか一方を導出するようにしても良い。
【０２０１】
・  各実施形態において、各列における図柄の表示順序を変更しても良い。例えば、左列における図柄の表示順序を昇順とする一方で、右列における表示順序を降順としても良い。
【０２０２】
・  各実施形態において、増加後リーチ図柄は、増加前リーチ図柄をリーチラインＬＢ上に表示し、当該ラインを中心に上下方向にリーチラインが増加するような態様であっても良い。
【０２０３】
・  第３の実施形態において、現在の遊技状態にかかわらず、特定の変動パターンが選択された場合に「３０回以内に「３」でリーチをかけろ！！」というミッション演出を設定しても良い。そして、当該ミッション演出中に増加後リーチ図柄の中にリーチライン増加前に提示された課題図柄と同一の図柄を含まないようにする制御を実行しても良い。
【０２０４】
・  第３の実施形態では、増加後リーチ図柄の中に課題図柄と同一の図柄が含まれる場合、当該図柄変動ゲームの開始に伴って、高確示唆モードから通常モードに移行させていた。その変更例として、当該図柄変動ゲームが開始してから左列の図柄が停止するまでの間に高確示唆モードから通常モードに移行させるようにしても良い。また、当該図柄変動ゲームが開始してから左列の図柄が停止するまでの間に、高確示唆モードから通常モードへの移行を、画像表示部ＧＨにおけるホワイトアウトを挟んで実行するようにしても良い。
【０２０５】
・  第２の実施形態において、統括制御用ＣＰＵ３６ａは、変動パターン指定コマンドで指定されるリーチライン上に確定停止表示させる図柄組み合わせを決定した後、増加後リーチ図柄の中に課題図柄と同一の図柄が含まれないような図柄組み合わせを、再度、決定するようにしても良い。
【０２０６】
・  第１の実施形態において、統括制御用ＣＰＵ３６ａは、当り演出用の変動パターンが選択されている場合であっても、図７に示す図柄決定処理を実行し、増加後のリーチ図柄の中に課題図柄と同一の図柄を含む組み合わせが含まれないように、図柄組み合わせを決定するようにしても良い。
【０２０７】
・  第２の実施形態において、統括制御用ＣＰＵ３６ａは、当り演出用の変動パターンが選択されている場合であっても、図９に示す図柄決定処理を実行し、増加後のリーチ図柄の中に課題図柄と同一の図柄が含まれる場合は、高確示唆モードの終了を決定するようにしても良い。
【０２０８】
・  第３の実施形態において、統括制御用ＣＰＵ３６ａは、当り演出用の変動パターンが選択されている場合であっても、図１１に示す図柄決定処理を実行し、増加後のリーチ図柄の中に課題図柄と同一の図柄が含まれる場合は、リーチ図柄の展開方向として逆方向を決定するようにしても良い。
【０２０９】
・  第４の実施形態において、統括制御用ＣＰＵ３６ａは、当り演出用の変動パターンが選択されている場合であっても、副図柄Ｄで課題を提示する一方で、リーチライン増加時に、主図柄Ｎのみで構成されるリーチ形成図柄を導出させるようにしても良い。
【０２１０】
・  各実施形態において、リーチラインの増加は、１本のリーチラインから２本のリーチラインに増加するような態様であっても良い。また、２本のリーチラインから３本のリーチラインに増加するような態様であっても良い。つまり、リーチラインの本数が変更前よりも変更後の方が多くなるのであれば、どのような本数であっても良い。
【０２１１】
・  各実施形態において、変動パターンＰ４〜Ｐ６に定められた変動時間を全て統一したのであれば、増加前リーチ図柄を確定停止表示させる図柄と同一図柄としても良い。
・  実施形態において、サブ統括制御基板３６を省略し、サブ統括制御基板３６で実行する処理を演出表示制御基板３７で実行するようにしても良い。また、サブ統括制御基板３６と、音声・ランプ制御基板３８とを単一の基板で構成しても良い。
【０２１２】
・  実施形態は、特別図柄と飾り図柄を用いるパチンコ遊技機１０に具体化したが、特別図柄のみを用いるパチンコ遊技機に具体化しても良い。
・  実施形態は、それぞれ異なる図柄変動ゲームの対象となる特別図柄を複数設定したパチンコ遊技機に具体化しても良い。
【０２１３】
次に、上記実施形態及び別例から把握できる技術的思想を以下に追加する。
（イ）前記図柄は、主図柄及び主図柄に付随する副図柄を組み合わせた表示形態で前記表示手段に表示可能であって、前記主図柄と前記副図柄は、一の主図柄に対し一の副図柄が個別対応して組み合わさるように対応関係が定められており、前記課題決定手段は、前記副図柄によって構成されるリーチ形成図柄を課題として提示し、前記規制手段は、前記リーチライン増加時に、前記主図柄のみで構成されたリーチ形成図柄を導出させることを特徴とする請求項１に記載の遊技機。
【０２１４】
（ロ）複数種類の図柄を複数列で変動させて図柄組み合わせを表示する図柄変動ゲームを含む遊技演出を表示するとともに、リーチ状態を認識し得る複数のリーチラインを有する表示手段を備え、所定のリーチ形成図柄を表示してリーチを形成させることを課題として遊技者に提示し、その提示した前記課題が行われた前記図柄変動ゲームにて大当りの図柄組み合わせを導出する課題付与演出を実行させる遊技機において、大当りか否かの大当り抽選に当選した場合、遊技者に大当りを認識させるための図柄組み合わせであって、リーチ形成図柄を含む大当り表示パターンを決定する表示パターン決定手段と、前記課題付与演出が実行される場合に、課題として提示するリーチ形成図柄を決定する課題決定手段と、前記図柄変動ゲームにおいて前記課題を提示するとともに、前記表示手段の表示内容を制御する演出制御手段と、を備え、前記図柄は、前記大当り抽選に当選した際に、遊技者にとって有利な状態が付与されることへの期待度の違いに応じて分類され、前記表示パターン決定手段は、前記大当り抽選に当選したことにより決定した表示パターンに基づき、前記表示手段において大当りを認識可能な図柄組み合わせが表示される場合に、当該表示パターンに基づく表示態様が、特定のリーチライン上に表示されるリーチ形成図柄について、前記課題として決定された図柄と同一となるとともに、前記特定のリーチラインを除くリーチライン上に表示される大当りを認識可能な図柄組み合わせについて、前記課題として決定された図柄よりも前記期待度の低い図柄となるときには、当該表示態様を不適表示態様と判断し、決定した表示パターンを前記不適表示態様とならない表示パターンに変更可能となっており、前記課題決定手段は、前記大当り抽選に当選したことにより決定された表示パターンに基づく表示態様が前記不適表示態様となる場合には、前記課題を変更可能となっていることを特徴とする遊技機。
【符号の説明】
【０２１５】
ＧＨ…画像表示部、ＳＷ１，ＳＷ２…始動口スイッチ、１０…パチンコ遊技機、２２…演出表示装置、２３…特別図柄表示装置、２５…上始動入賞口、２６…下始動入賞口、２５ａ，２６ａ…入球口、２７…開閉羽根、２８…大入賞口扉、２９…大入賞口、３５…主制御基板、３５ａ…主制御用ＣＰＵ、３５ｂ…主制御用ＲＯＭ、３５ｃ…主制御用ＲＡＭ、３６…サブ統括制御基板、３６ａ…統括制御用ＣＰＵ、３６ｂ…統括制御用ＲＯＭ、３６ｃ…統括制御用ＲＡＭ、３７…演出表示制御基板。
【図１】
2011092572.tif 000003
【図２】
2011092572.tif 000004
【図３】
2011092572.tif 000005
【図４】
2011092572.tif 000006
【図５】
2011092572.tif 000007
【図６】
2011092572.tif 000008
【図７】
2011092572.tif 000009
【図８】
2011092572.tif 000010
【図９】
2011092572.tif 000011
【図１０】
2011092572.tif 000012
【図１１】
2011092572.tif 000013
【図１２】
2011092572.tif 000014
【図１３】
2011092572.tif 000015
【図１４】
2011092572.tif 000016
【図１５】
2011092572.tif 000017